(57)【要約】本発明の実施形態は、免許不要帯域に基づく無線通信方法、基地局、及び端末デバイスを提供する。方法は、基地局によって、第１クリアチャネル評価（ＣＣＡ）を使用することで免許不要帯域で第１キャリアを占有し、第１ＣＣＡはシングルスロットＣＣＡである、ことと、基地局によって、第１指示情報を端末デバイスへ送り、第１指示情報は、端末デバイスに、第１キャリアで基地局へアップリンク情報を送るよう指示するために使用される、ことと、基地局によって、第１キャリアで端末デバイスからのアップリンク情報を受けることとを含む。本発明の実施形態において、免許不要帯域リソースの利用は改善され得る。
2019528013.tif 000002
【特許請求の範囲】
【請求項１】
免許不要帯域に基づく無線通信方法であって、
基地局によって、第１クリアチャネル評価ＣＣＡを使用することで免許不要帯域で第１キャリアを占有し、前記第１ＣＣＡはランダムバックオフを有するＣＣＡである、ことと、
前記基地局によって、第２ＣＣＡを使用することで前記免許不要帯域で第２キャリアを占有し、前記第２ＣＣＡはシングルスロットＣＣＡである、ことと、
前記基地局によって、第１指示情報を端末デバイスへ送り、前記第１指示情報は、前記端末デバイスに、前記第２キャリアで前記基地局へアップリンク情報を送るよう指示するために使用される、ことと、
前記基地局によって、前記第２キャリアで前記端末デバイスからの前記アップリンク情報を受けることと
を有する方法。
【請求項２】
前記第１指示情報は、前記端末デバイスに、第１最長キャリア占有時間ＭＣＯＴにおいて前記第２キャリアで前記基地局へ前記アップリンク情報を送るように指示するために特に使用され、
前記第１ＭＣＯＴは、前記基地局が前記第１キャリアを占有することができる最長持続時間である、
請求項１に記載の方法。
【請求項３】
前記第１ＭＣＯＴは、前記第１ＣＣＡのコンテンションウィンドウ、及び／又は前記基地局によって行われる前記第１ＣＣＡに対応するダウンリンクサービスレベルに基づき、決定される、
請求項２に記載の方法。
【請求項４】
当該方法は、
前記基地局によって、第２指示情報を前記端末デバイスへ送り、前記第２指示情報は、前記端末デバイスが前記アップリンク情報を送る前に前記第２キャリアに対して前記端末デバイスによって行われる第３ＣＣＡのＣＣＡタイプを示すために使用され、前記第３ＣＣＡの前記ＣＣＡタイプはランダムバックオフを有するＣＣＡ又はシングルスロットＣＣＡである、こと
を更に有する、
請求項１乃至３のうちいずれか一項に記載の方法。
【請求項５】
前記第２指示情報は、前記第３ＣＣＡのインターバル情報を運び、
前記第３ＣＣＡの前記インターバル情報は、前記第３ＣＣＡの前記ＣＣＡタイプを示すために使用される、
請求項４に記載の方法。
【請求項６】
免許不要帯域に基づく無線通信方法であって、
端末デバイスによって、免許不要帯域で基地局によって占有される第１キャリア及び第２キャリアを決定し、前記基地局は、第１クリアチャネル評価ＣＣＡを使用することで前記第１キャリアを占有し且つ第２ＣＣＡを使用することで前記第２キャリアを占有し、前記第１ＣＣＡはランダムバックオフを有するＣＣＡであり、前記第２ＣＣＡはシングルスロットＣＣＡである、ことと、
前記端末デバイスによって、前記基地局から第１指示情報を受け、前記第１指示情報は、前記端末デバイスに、前記第２キャリアで前記基地局へアップリンク情報を送るよう指示するために使用される、ことと、
前記端末デバイスによって、前記第１指示情報に基づき前記第２キャリアで前記基地局へ前記アップリンク情報を送ることと
を有する方法。
【請求項７】
前記端末デバイスによって、前記第１指示情報に基づき前記第２キャリアで前記基地局へ前記アップリンク情報を送ることは、
前記端末デバイスによって、第１最長キャリア占有時間ＭＣＯＴにおいて前記第２キャリアで前記基地局へ前記アップリンク情報を送り、前記第１ＭＣＯＴは、前記基地局が前記第１キャリアを占有することができる最長持続時間である、こと
を有する、
請求項６に記載の方法。
【請求項８】
前記第１ＭＣＯＴは、前記第１ＣＣＡのコンテンションウィンドウ、及び／又は前記基地局によって行われる前記第１ＣＣＡに対応するダウンリンクサービスレベルに基づき、決定される、
請求項７に記載の方法。
【請求項９】
前記端末デバイスによって、前記第１指示情報に基づき前記第２キャリアで前記基地局へ前記アップリンク情報を送ることより前に、当該方法は、
前記端末デバイスによって、前記第２キャリアに対して第３ＣＣＡを実行すること
を更に有し、
前記端末デバイスによって、前記第１指示情報に基づき前記第１キャリアで前記基地局へ前記アップリンク情報を送ることは、
前記第３ＣＣＡが成功裏に実行される場合に、前記端末デバイスによって、前記第１キャリアで前記基地局へ前記アップリンク情報を送ること
を有する、
請求項６乃至８のうちいずれか一項に記載の方法。
【請求項１０】
当該方法は、
前記端末デバイスによって、前記基地局から第２指示情報を受けることと、
前記端末デバイスによって、前記第２指示情報に基づき前記第３ＣＣＡのＣＣＡタイプを決定し、前記第３ＣＣＡの前記ＣＣＡタイプはランダムバックオフを有するＣＣＡ又はシングルスロットＣＣＡである、ことと
を更に有する、
請求項６乃至９のうちいずれか一項に記載の方法。
【請求項１１】
前記第２指示情報は、前記第３ＣＣＡのＣＣＡインターバル情報を有し、
前記端末デバイスによって、前記第２指示情報に基づき前記第３ＣＣＡのＣＣＡタイプを決定することは、
前記端末デバイスによって、前記第３ＣＣＡのＣＣＡインターバル及びＣＣＡインターバルと候補ＣＣＡタイプとの間の対応に基づき前記第３ＣＣＡの前記ＣＣＡタイプを決定することを有し、
前記候補ＣＣＡタイプは、前記ランダムバックオフを有するＣＣＡ及び前記シングルスロットＣＣＡを有する、
請求項１０に記載の方法。
【請求項１２】
免許不要帯域に基づく無線通信方法であって、
端末デバイスによって、免許不要帯域での第１キャリアのエネルギ検出閾値を、前記免許不要帯域での複数のキャリアのエネルギ検出閾値に基づき決定することと、
前記端末デバイスによって、前記第１キャリアのエネルギ検出閾値に基づき前記第１キャリアに対して第１ＣＣＡを実行し、前記第１ＣＣＡはシングルスロットＣＣＡである、ことと、
前記端末デバイスによって、前記複数のキャリアのエネルギ検出閾値に基づき前記複数のキャリアに対して第２ＣＣＡを別途実行し、前記第２ＣＣＡはランダムバックオフを有するＣＣＡである、ことと
を有する方法。
【請求項１３】
当該方法は、
前記端末デバイスによって、前記第１ＣＣＡ及び前記第２ＣＣＡを実行した結果に応じて、前記第１キャリア及び前記複数のキャリアでアップリンク情報を送るべきかどうかを判断すること
を更に有する、
請求項１２に記載の方法。
【請求項１４】
前記端末デバイスによって、免許不要帯域での第１キャリアのエネルギ検出閾値を、前記免許不要帯域での複数のキャリアのエネルギ検出閾値に基づき決定することは、
前記端末デバイスによって、前記第１キャリアのエネルギ検出閾値を、前記複数のキャリアの中の第２キャリアのエネルギ検出閾値に基づき決定し、前記第２キャリアのエネルギ検出閾値は、前記複数のキャリアのエネルギ検出閾値の中で最小のエネルギ検出閾値である、こと
を有する、
請求項１２又は１３に記載の方法。
【請求項１５】
前記端末デバイスによって、前記第１キャリアのエネルギ検出閾値を、前記複数のキャリアの中の第２キャリアのエネルギ検出閾値に基づき決定することは、
前記端末デバイスによって、前記第１キャリアのエネルギ検出閾値が前記第２キャリアのエネルギ検出閾値以下であると決定すること
を有する、
請求項１４に記載の方法。
【請求項１６】
前記端末デバイスによって、免許不要帯域での第１キャリアのエネルギ検出閾値を、前記免許不要帯域での複数のキャリアのエネルギ検出閾値に基づき決定することは、
前記端末デバイスによって、前記第１キャリアのエネルギ検出閾値を、前記複数のキャリアの中の第３キャリアのエネルギ検出閾値に基づき決定し、前記第３キャリアのエネルギ検出閾値は、前記複数のキャリアの中で最大又は最小のインデックス番号を有しているキャリアである、こと
を有する、
請求項１２又は１３に記載の方法。
【請求項１７】
前記端末デバイスによって、前記第１キャリアのエネルギ検出閾値を、前記複数のキャリアの中の第３キャリアのエネルギ検出閾値に基づき決定することは、
前記端末デバイスによって、前記第１キャリアのエネルギ検出閾値が前記第３キャリアのエネルギ検出閾値以下であると決定すること
を有する、
請求項１６に記載の方法。
【請求項１８】
基地局であって、
第１クリアチャネル評価ＣＣＡを使用することで免許不要帯域で第１キャリアを占有するよう構成され、前記第１ＣＣＡはランダムバックオフを有するＣＣＡである、処理モジュールであり、該処理モジュールは、第２ＣＣＡを使用することで前記免許不要帯域で第２キャリアを占有するよう更に構成され、前記第２ＣＣＡはシングルスロットＣＣＡである、前記処理モジュールと、
第１指示情報を端末デバイスへ送るよう構成され、前記第１指示情報は、前記端末デバイスに、前記第２キャリアで当該基地局へアップリンク情報を送るよう指示するために使用される、送信モジュールと、
前記第２キャリアで前記端末デバイスからの前記アップリンク情報を受けるよう構成される受信モジュールと
を有する基地局。
【請求項１９】
前記第１指示情報は、前記端末デバイスに、第１最長キャリア占有時間ＭＣＯＴにおいて前記第２キャリアで当該基地局へ前記アップリンク情報を送るように指示するために特に使用され、
前記第１ＭＣＯＴは、当該基地局が前記第１キャリアを占有することができる最長持続時間である、
請求項１８に記載の基地局。
【請求項２０】
前記第１ＭＣＯＴは、前記第１ＣＣＡのコンテンションウィンドウ、及び／又は当該基地局によって行われる前記第１ＣＣＡに対応するダウンリンクサービスレベルに基づき、決定される、
請求項１９に記載の基地局。
【請求項２１】
前記送信モジュールは、第２指示情報を前記端末デバイスへ送るよう更に構成され、前記第２指示情報は、前記端末デバイスが前記アップリンク情報を送る前に前記第２キャリアに対して前記端末デバイスによって行われる第３ＣＣＡのＣＣＡタイプを示すために使用され、前記第３ＣＣＡの前記ＣＣＡタイプは、ランダムバックオフを有するＣＣＡ又はシングルスロットＣＣＡである、
請求項１８乃至２０のうちいずれか一項に記載の基地局。
【請求項２２】
前記第２指示情報は、前記第３ＣＣＡのインターバル情報を運び、
前記第３ＣＣＡの前記インターバル情報は、前記第３ＣＣＡの前記ＣＣＡタイプを示すために使用される、
請求項２１に記載の基地局。
【請求項２３】
端末デバイスであって、
免許不要帯域で基地局によって占有される第１キャリア及び第２キャリアを決定するよう構成され、前記基地局は、第１クリアチャネル評価ＣＣＡを使用することで前記第１キャリアを占有し且つ第２ＣＣＡを使用することで前記第２キャリアを占有し、前記第１ＣＣＡはランダムバックオフを有するＣＣＡであり、前記第２ＣＣＡはシングルスロットＣＣＡである、決定モジュールと、
前記基地局から第１指示情報を受けるよう構成され、前記第１指示情報は、当該端末デバイスに、前記第２キャリアで前記基地局へアップリンク情報を送るよう指示するために使用される、受信モジュールと、
前記第１指示情報に基づき前記第２キャリアで前記基地局へ前記アップリンク情報を送るよう構成される送信モジュールと
を有する端末デバイス。
【請求項２４】
前記送信モジュールは、第１最長キャリア占有時間ＭＣＯＴにおいて前記第２キャリアで前記基地局へ前記アップリンク情報を送るよう特に構成され、前記第１ＭＣＯＴは、前記基地局が前記第１キャリアを占有することができる最長持続時間である、
請求項２３に記載の端末デバイス。
【請求項２５】
前記第１ＭＣＯＴは、前記第１ＣＣＡのコンテンションウィンドウ、及び／又は前記基地局によって行われる前記第１ＣＣＡに対応するダウンリンクサービスレベルに基づき、決定される、
請求項２４に記載の端末デバイス。
【請求項２６】
当該端末デバイスは、前記第２キャリアに対して第３ＣＣＡを実行するよう構成される検出モジュールを更に有し、
前記送信モジュールは、前記第３ＣＣＡが成功裏に実行される場合に、前記第１キャリアで前記基地局へ前記アップリンク情報を送るよう特に構成される、
請求項２３乃至２５のうちいずれか一項に記載の端末デバイス。
【請求項２７】
前記受信モジュールは、前記基地局から第２指示情報を受けるよう更に構成され、
前記決定モジュールは、前記第２指示情報に基づき前記第３ＣＣＡのＣＣＡタイプを決定するよう更に構成され、前記第３ＣＣＡの前記ＣＣＡタイプは、ランダムバックオフを有するＣＣＡ又はシングルスロットＣＣＡである、
請求項２３乃至２６のうちいずれか一項に記載の端末デバイス。
【請求項２８】
前記第２指示情報は、前記第３ＣＣＡのＣＣＡインターバル情報を有し、
前記決定モジュールは、前記第３ＣＣＡのＣＣＡインターバル及びＣＣＡインターバルと候補ＣＣＡタイプとの間の対応に基づき前記第３ＣＣＡの前記ＣＣＡタイプを決定するよう特に構成され、
前記候補ＣＣＡタイプは、前記ランダムバックオフを有するＣＣＡ及び前記シングルスロットＣＣＡを有する、
請求項２７に記載の端末デバイス。
【請求項２９】
端末デバイスであって、
免許不要帯域での第１キャリアのエネルギ検出閾値を、前記免許不要帯域での複数のキャリアのエネルギ検出閾値に基づき決定するよう構成される決定モジュールと、
前記第１キャリアのエネルギ検出閾値に基づき前記第１キャリアに対して第１ＣＣＡを実行するよう構成され、前記第１ＣＣＡはシングルスロットＣＣＡである、検出モジュールと
を有し、
前記検出モジュールは、前記複数のキャリアのエネルギ検出閾値に基づき前記複数のキャリアに対して第２ＣＣＡを別途実行するよう更に構成され、前記第２ＣＣＡは、ランダムバックオフを有するＣＣＡである、
端末デバイス。
【請求項３０】
前記決定モジュールは、前記第１ＣＣＡ及び前記第２ＣＣＡを実行した結果に応じて、前記第１キャリア及び前記複数のキャリアでアップリンク情報を送るべきかどうかを判断するよう更に構成される、
請求項２９に記載の端末デバイス。
【請求項３１】
前記決定モジュールは、前記第１キャリアのエネルギ検出閾値を、前記複数のキャリアの中の第２キャリアのエネルギ検出閾値に基づき決定するよう特に構成され、前記第２キャリアのエネルギ検出閾値は、前記複数のキャリアのエネルギ検出閾値の中で最小のエネルギ検出閾値である、
請求項２９又は３０に記載の端末デバイス。
【請求項３２】
前記決定モジュールは、前記第１キャリアのエネルギ検出閾値が前記第２キャリアのエネルギ検出閾値以下であると決定するよう特に構成される、
請求項３１に記載の端末デバイス。
【請求項３３】
前記決定モジュールは、前記第１キャリアのエネルギ検出閾値を、前記複数のキャリアの中の第３キャリアのエネルギ検出閾値に基づき決定するよう特に構成され、前記第３キャリアのエネルギ検出閾値は、前記複数のキャリアの中で最大又は最小のインデックス番号を有しているキャリアである、
請求項２９又は３０に記載の端末デバイス。
【請求項３４】
前記決定モジュールは、前記第１キャリアのエネルギ検出閾値が前記第３キャリアのエネルギ検出閾値以下であると決定するよう特に構成される、
請求項３３に記載の端末デバイス。
【発明の詳細な説明】
【技術分野】
【０００１】
本発明は、通信技術の分野に、より具体的には、免許不要帯域に基づく無線通信方法、基地局、及び端末デバイスに関係がある。
【背景技術】
【０００２】
第３世代パートナーシップ・プロジェクト（3rd  Generation  Partnership  Project，３ＧＰＰ）は、ＬＴＥ（Long  Term  Evolution，ＬＴＥ）支援アクセス（LTE  Assisted  Access，ＬＡＡ）技術においてリッスン・ビフォア・トーク（Listen  Before  Talk，ＬＢＴ）メカニズムを導入しており、それにより、ＬＴＥデバイス及びワイヤレス・フィデリティ（Wireless  Fidelity，Ｗｉ−Ｆｉ）は、免許不要帯域でリソースを公平に争うことができる。リッスン・ビフォア・トークメカニズムは、免許不要帯域でＬＴＥデバイスによって遊休チャネルを検知及び検出するために使用される。
【０００３】
先行技術では、基地局は、ランダムバックオフを有するクリアチャネル評価（Clear  Channel  Assessment，ＣＣＡ）を使用することによってキャリアを評価し、ＣＣＡが成功裏に実行される場合に、基地局は、そのキャリアを使用することによって、最長チャネル占有時間（Maximum  Channel  Occupancy  Time，ＭＣＯＴ）（又は最長キャリア占有時間とも呼ばれる。）において端末デバイスへダウンリンク情報を送ってよい。その上、基地局は更に、ＭＣＯＴの一部を端末デバイスと共有してよく、それにより、端末デバイスは、シングルスロットＣＣＡを使用することによってキャリアを検出し、そのキャリアでアップリンク情報を送信することができる。このように、端末デバイスは、キャリアを使用することによって基地局へアップリンク情報を送ることができる。先行技術では、基地局は、端末デバイスによってアップリンクデータを送るために端末デバイスと、ランダムバックオフを有するＣＣＡが実行されるキャリアのみを、他のカテゴリのキャリアを共有せずに、共有することができる。そのため、キャリア利用は制限される。
【発明の概要】
【０００４】
本発明は、通信を実行するために免許不要帯域リソースをより良く使用するように、免許不要帯域に基づく無線通信方法、基地局、及び端末デバイスを提供する。
【０００５】
第１の態様に従って、免許不要帯域に基づく無線通信方法であって、基地局によって、第１クリアチャネル評価ＣＣＡを使用することで免許不要帯域で第１キャリアを占有し、前記第１ＣＣＡはランダムバックオフを有するＣＣＡである、ことと、前記基地局によって、第２ＣＣＡを使用することで前記免許不要帯域で第２キャリアを占有し、前記第２ＣＣＡはシングルスロットＣＣＡである、ことと、前記基地局によって、第１指示情報を端末デバイスへ送り、前記第１指示情報は、前記端末デバイスに、前記第２キャリアで前記基地局へアップリンク情報を送るよう指示するために使用される、ことと、前記基地局によって、前記第２キャリアで前記端末デバイスからの前記アップリンク情報を受けることとを含む方法が提供される。
【０００６】
先行技術では、基地局は、ランダムバックオフを有するＣＣＡを使用することによって免許不要帯域で占有されるキャリアのみを端末デバイスと共有してよく、それにより、端末デバイスは、そのキャリアで基地局へアップリンク情報を送ることができる。しかし、基地局が、他のＣＣＡを使用することによって免許不要帯域で占有されるキャリアを端末デバイスと共有することは、特定されておらず、そのため、免許不要帯域の利用は、相対的に低い。しかし、本発明では、シングルスロットＣＣＡを使用することで基地局によって占有されるキャリアが端末デバイスと共有され、それにより、端末デバイスは、そのキャリアを使用することによってアップリンク情報を送信することもできる。従って、免許不要帯域リソースの利用は改善される。
【０００７】
第１の態様を参照して、第１の態様の第１の実施において、前記第１指示情報は、前記端末デバイスに、第１最長キャリア占有時間ＭＣＯＴにおいて前記第２キャリアで前記基地局へ前記アップリンク情報を送るように指示するために特に使用され、前記第１ＭＣＯＴは、前記基地局が前記第１キャリアを占有することができる最長持続時間である。
【０００８】
第１の態様の第１の実施を参照して、第１の態様の第２の実施において、前記第１ＭＣＯＴは、前記第１ＣＣＡのコンテンションウィンドウ、及び／又は前記基地局によって行われる前記第１ＣＣＡに対応するダウンリンクサービスレベルに基づき、決定される。
【０００９】
第１ＭＣＯＴにおいて基地局へアップリンク情報を送る場合に、端末デバイスは、基地局によって第１キャリアを占有する時間以外の第１ＭＣＯＴの残り時間を使用することによって、基地局へアップリンク情報を送ってよい。このようにして、端末デバイスは、第１キャリアを使用することによってアップリンク情報を送ることができる。
【００１０】
一般に、基地局が第１ＣＣＡを使用することによって第１キャリアを占有することは比較的難しいので、第１ＭＣＯＴは通常は相対的に長い。従って、端末デバイスは、第１ＭＣＯＴにおいて第１キャリアで基地局へアップリンク情報を送るために更に多くの時間を有することができ、それにより、端末デバイスは、アップリンク情報をより良く送ることができる。
【００１１】
第１の態様並びに第１の態様の第１及び第２の実施のうちのいずれか１つを参照して、第１の態様の第３の実施において、当該方法は、前記基地局によって、第２指示情報を前記端末デバイスへ送り、前記第２指示情報は、前記端末デバイスが前記アップリンク情報を送る前に前記第２キャリアに対して前記端末デバイスによって行われる第３ＣＣＡのＣＣＡタイプを示すために使用され、前記第３ＣＣＡの前記ＣＣＡタイプは、ランダムバックオフを有するＣＣＡ又はシングルスロットＣＣＡである、ことを更に含む。
【００１２】
基地局は、キャリアの実際の状態に応じて第３ＣＣＡのＣＣＡタイプを決定し、そして、第２指示情報を使用することによって端末デバイスに第３ＣＣＡのＣＣＡタイプを直接的に又は間接的に知らせてよい。
【００１３】
第３ＣＣＡのカテゴリは、第２指示情報を使用することによって示され得、それにより、端末デバイスは、第１キャリアに対して第３ＣＣＡを実行することができる。
【００１４】
第１の態様の第３の実施を参照して、第１の態様の第４の実施において、前記第２指示情報は、前記第３ＣＣＡのインターバル情報を運び、前記第３ＣＣＡの前記インターバル情報は、前記第３ＣＣＡの前記ＣＣＡタイプを示すために使用される。
【００１５】
第３ＣＣＡのＣＣＡタイプは、第２指示情報における第３ＣＣＡのインターバル情報を使用することによって、ＣＣＡインターバルとＣＣＡタイプとの間の対応に基づき間接的に決定され得る。
【００１６】
第２の態様に従って、免許不要帯域に基づく無線通信方法であって、端末デバイスによって、免許不要帯域で基地局によって占有される第１キャリア及び第２キャリアを決定し、前記基地局は、第１クリアチャネル評価ＣＣＡを使用することで前記第１キャリアを占有し且つ第２ＣＣＡを使用することで前記第２キャリアを占有し、前記第１ＣＣＡはランダムバックオフを有するＣＣＡであり、前記第２ＣＣＡはシングルスロットＣＣＡである、ことと、前記端末デバイスによって、前記基地局から第１指示情報を受け、前記第１指示情報は、前記端末デバイスに、前記第２キャリアで前記基地局へアップリンク情報を送るよう指示するために使用される、ことと、前記端末デバイスによって、前記第１指示情報に基づき前記第２キャリアで前記基地局へ前記アップリンク情報を送ることとを含む方法が提供される。
【００１７】
先行技術では、端末デバイスは、ランダムバックオフを有するＣＣＡを使用することによって免許不要帯域で基地局によって占有されるキャリアのみを共有することができる。すなわち、端末デバイスは、そのキャリアで基地局へアップリンク情報を送ることができる。しかし、先行技術では、端末デバイスが、他のＣＣＡを使用することによって免許不要帯域で基地局によって占有されるキャリアを共有可能であるかどうかは、特定されていない。すなわち、端末デバイスは、アップリンク情報を送るために、基地局によって占有されている一部のキャリアしか共有することができず、そのため、免許不要帯域の利用は、相対的に低い。しかし、本発明では、シングルスロットＣＣＡを使用することで基地局によって占有されるキャリアが端末デバイスと共有され、それにより、端末デバイスは、そのキャリアを使用することによってアップリンク情報を送信することもできる。従って、免許不要帯域リソースの利用は改善される。
【００１８】
第２の態様を参照して、第２の態様の第１の実施において、前記端末デバイスによって、前記第１指示情報に基づき前記第２キャリアで前記基地局へ前記アップリンク情報を送ることは、前記端末デバイスによって、第１最長キャリア占有時間ＭＣＯＴにおいて前記第２キャリアで前記基地局へ前記アップリンク情報を送り、前記第１ＭＣＯＴは、前記基地局が前記第１キャリアを占有することができる最長持続時間である、ことを含む。
【００１９】
第２の態様の第１の実施を参照して、第２の態様の第２の実施において、前記第１ＭＣＯＴは、前記第１ＣＣＡのコンテンションウィンドウ、及び／又は前記基地局によって行われる前記第１ＣＣＡに対応するダウンリンクサービスレベルに基づき、決定される。
【００２０】
第２の態様並びに第２の態様の第１及び第２の実施のうちのいずれか１つを参照して、第２の態様の第３の実施において、前記端末デバイスによって、前記第１指示情報に基づき前記第２キャリアで前記基地局へ前記アップリンク情報を送ることより前に、当該方法は、前記端末デバイスによって、前記第２キャリアに対して第３ＣＣＡを実行することを更に含み、前記端末デバイスによって、前記第１指示情報に基づき前記第１キャリアで前記基地局へ前記アップリンク情報を送ることは、前記第３ＣＣＡが成功裏に実行される場合に、前記端末デバイスによって、前記第１キャリアで前記基地局へ前記アップリンク情報を送ることを含む。
【００２１】
第２の態様及び第２の態様の第１乃至第３の実施のうちのいずれか１つを参照して、第２の態様の第４の実施において、当該方法は、前記端末デバイスによって、前記基地局から第２指示情報を受けることと、前記端末デバイスによって、前記第２指示情報に基づき前記第３ＣＣＡのＣＣＡタイプを決定し、前記第３ＣＣＡの前記ＣＣＡタイプはランダムバックオフを有するＣＣＡ又はシングルスロットＣＣＡである、こととを更に含む。
【００２２】
第２の態様の第４の実施を参照して、第２の態様の第５の実施において、前記第２指示情報は、前記第３ＣＣＡのＣＣＡインターバル情報を含み、前記端末デバイスによって、前記第２指示情報に基づき前記第３ＣＣＡのＣＣＡタイプを決定することは、前記端末デバイスによって、前記第３ＣＣＡのＣＣＡインターバル及びＣＣＡインターバルと候補ＣＣＡタイプとの間の対応に基づき前記第３ＣＣＡの前記ＣＣＡタイプを決定することを含み、前記候補ＣＣＡタイプは、前記ランダムバックオフを有するＣＣＡ及び前記シングルスロットＣＣＡを含む。
【００２３】
第３の態様に従って、免許不要帯域に基づく無線通信方法であって、端末デバイスによって、免許不要帯域での第１キャリアのエネルギ検出閾値を、前記免許不要帯域での複数のキャリアのエネルギ検出閾値に基づき決定することと、前記端末デバイスによって、前記第１キャリアのエネルギ検出閾値に基づき前記第１キャリアに対して第１ＣＣＡを実行し、前記第１ＣＣＡはシングルスロットＣＣＡである、ことと、前記端末デバイスによって、前記複数のキャリアのエネルギ検出閾値に基づき前記複数のキャリアに対して第２ＣＣＡを別途実行し、前記第２ＣＣＡはランダムバックオフを有するＣＣＡである、こととを含む方法が提供される。
【００２４】
先行技術では、基地局が免許不要帯域で複数のキャリアに対してＣＣＡ検出を実行する場合に（基地局が第１キャリアに対してはランダムバックオフを有するＣＣＡを実行し、他のキャリアに対してはシングルスロットＣＣＡを実行する場合）、基地局は、他のキャリアのエネルギ検出閾値を、第１キャリアのエネルギ検出閾値と同じであるようセットする。この方法は、他のキャリアのエネルギ検出閾値が第１キャリアのエネルギ検出閾値と一致する必要があるということで、十分に柔軟ではない。しかし、本発明では、端末デバイスが免許不要帯域で複数のキャリアに対してＣＣＡ検出を実行する場合に（端末デバイスが第１キャリアに対してシングルスロットＣＣＡを実行し、複数の他のキャリアに対してランダムバックオフを有するＣＣＡを実行する場合）、端末デバイスは、第１キャリアのエネルギ検出閾値を、複数のキャリアのエネルギ検出閾値に基づきセットする。第１キャリアのエネルギ検出閾値は、複数のキャリアのエネルギ検出閾値が徹底的に検討された後にセットされる。従って、第１キャリアのエネルギ検出閾値は、夫々のキャリアのステータスに応じて、より適切に決定され得る。
【００２５】
第３の態様を参照して、第３の態様の第１の実施において、当該方法は、前記端末デバイスによって、前記第１ＣＣＡ及び前記第２ＣＣＡを実行した結果に応じて、前記第１キャリア及び前記複数のキャリアでアップリンク情報を送るべきかどうかを判断することを更に含む。
【００２６】
第３の態様又は第３の態様の第１の実施を参照して、第３の態様の第２の実施において、前記端末デバイスによって、免許不要帯域での第１キャリアのエネルギ検出閾値を、前記免許不要帯域での複数のキャリアのエネルギ検出閾値に基づき決定することは、前記端末デバイスによって、前記第１キャリアのエネルギ検出閾値を、前記複数のキャリアの中の第２キャリアのエネルギ検出閾値に基づき決定し、前記第２キャリアのエネルギ検出閾値は、前記複数のキャリアのエネルギ検出閾値の中で最小のエネルギ検出閾値である、ことを含む。
【００２７】
シングルスロットＣＣＡを使用することによってキャリアを占有することは、ランダムバックオフを有するＣＣＡを使用することによってキャリアを占有することよりも難しく、且つ、エネルギ検出閾値のより小さい値は、キャリアを占有することがより困難であることを示すということで、キャリア占有の公平性のために、第１キャリアのエネルギ検出閾値は、最も小さいエネルギ検出閾値を参照してセットされてよい。
【００２８】
第３の態様の第２の実施を参照して、第３の態様の第３の実施において、前記端末デバイスによって、前記第１キャリアのエネルギ検出閾値を、前記複数のキャリアの中の第２キャリアのエネルギ検出閾値に基づき決定することは、前記端末デバイスによって、前記第１キャリアのエネルギ検出閾値が前記第２キャリアのエネルギ検出閾値以下であると決定することを含む。
【００２９】
第１キャリアのエネルギ検出閾値は、第２キャリアのエネルギ検出閾値よりも小さくセットされ、それにより、端末デバイスは、キャリアを公平に占有することができ、そして、相対的に公平に免許不要帯域リソースを使用することができる。
【００３０】
第３の態様又は第３の態様の第１の実施を参照して、第３の態様の第４の実施において、前記端末デバイスによって、免許不要帯域での第１キャリアのエネルギ検出閾値を、前記免許不要帯域での複数のキャリアのエネルギ検出閾値に基づき決定することは、前記端末デバイスによって、前記第１キャリアのエネルギ検出閾値を、前記複数のキャリアの中の第３キャリアのエネルギ検出閾値に基づき決定し、前記第３キャリアのエネルギ検出閾値は、前記複数のキャリアの中で最大又は最小のインデックス番号を有しているキャリアである、ことを含む。
【００３１】
第１キャリアのエネルギ検出閾値がセットされている場合に、便宜上、第１キャリアのエネルギ検出閾値は、最大又は最小のインデックス番号を有しているキャリアのエネルギ検出閾値をランダムに選択することによって決定されてよい。
【００３２】
第３の態様の第４の実施を参照して、第３の態様の第５の実施において、前記端末デバイスによって、前記第１キャリアのエネルギ検出閾値を、前記複数のキャリアの中の第３キャリアのエネルギ検出閾値に基づき決定することは、前記端末デバイスによって、前記第１キャリアのエネルギ検出閾値が前記第３キャリアのエネルギ検出閾値以下であると決定することを含む。
【００３３】
一般に、第１キャリアのエネルギ検出閾値は、第３キャリアのエネルギ検出閾値よりも小さくセットされ、それにより、端末デバイスは、キャリアを公平に占有することができ、そして、相対的に適切に免許不要帯域リソースを使用することができる。
【００３４】
いくつかの実施において、前記複数のキャリアは、第４キャリア及び第５キャリアを含み、前記第４キャリア及び前記第５キャリアは、前記複数のキャリアの中で最小のエネルギ検出閾値を有している２つのキャリアであり、前記第１キャリアのエネルギ検出閾値は、前記第４キャリア及び前記第５キャリアのエネルギ検出閾値の平均値である。
【００３５】
いくつかの実施において、前記第１キャリアのエネルギ検出閾値は、前記第４キャリアのエネルギ検出閾値と前記第５キャリアのエネルギ検出閾値との間にあり、前記第１キャリアのエネルギ検出閾値と前記第４キャリアのエネルギ検出閾値との間の差が、前もってセットされた閾値であるか、あるいは、前記第５キャリアのエネルギ検出閾値と前記第１キャリアのエネルギ検出閾値との間の差が、前もってセットされた閾値である。
【００３６】
いくつかの実施において、前記複数のキャリアは、第６キャリア及び第７キャリアを含み、前記第６キャリア及び前記第７キャリアは夫々、前記複数のキャリアの中で最大のインデックス番号を有しているキャリア及び最小のインデックス番号を有しているキャリアであり、前記第１キャリアのエネルギ検出閾値は、前記第６キャリア及び前記第７キャリアのエネルギ検出閾値の平均値である。
【００３７】
いくつかの実施において、前記第１キャリアのエネルギ検出閾値は、前記第６キャリアのエネルギ検出閾値と前記第７キャリアのエネルギ検出閾値との間にあり、前記第１キャリアのエネルギ検出閾値と前記第６キャリアのエネルギ検出閾値との間の差が、前もってセットされた閾値であるか、あるいは、前記第７キャリアのエネルギ検出閾値と前記第１キャリアのエネルギ検出閾値との間の差が、前もってセットされた閾値である。
【００３８】
いくつかの実施において、前記第１キャリアのエネルギ検出閾値は、前記複数のキャリアのエネルギ検出閾値の平均値である。
【００３９】
第４の態様に従って、基地局が提供され、当該基地局は、第１の態様における方法を実行するよう構成されたモジュールを含む。
【００４０】
第５の態様に従って、端末デバイスが提供され、当該端末デバイスは、第２の態様における方法を実行するよう構成されたモジュールを含む。
【００４１】
第６の態様に従って、端末デバイスが提供され、当該端末デバイスは、第３の態様における方法を実行するよう構成されたモジュールを含む。
【００４２】
第７の態様に従って、基地局が提供され、当該基地局は、メモリ、プロセッサ、及びトランシーバを含む。前記メモリは、プログラムを記憶するよう構成され、前記プロセッサは、前記プログラムを実行するよう構成され、該プログラムを実行する場合に、前記プロセッサは、前記トランシーバに基づき第１の態様における方法を実行する。
【００４３】
第８の態様に従って、端末デバイスが提供され、当該端末デバイスは、メモリ、プロセッサ、及びトランシーバを含む。前記メモリは、プログラムを記憶するよう構成され、前記プロセッサは、前記プログラムを実行するよう構成され、該プログラムを実行する場合に、前記プロセッサは、前記トランシーバに基づき第２の態様における方法を実行する。
【００４４】
第９の態様に従って、端末デバイスが提供され、当該端末デバイスは、メモリ及びプロセッサを含む。前記メモリは、プログラムを記憶するよう構成され、前記プロセッサは、前記プログラムを実行するよう構成され、該プログラムを実行する場合に、前記プロセッサは、第３の態様における方法を実行する。
【００４５】
第１０の態様に従って、コンピュータ可読媒体が提供され、当該コンピュータ可読媒体は、基地局によって実行されるプログラムコードを記憶し、該プログラムコードは、第１の態様における方法を実行するために使用される命令を含む。
【００４６】
第１１の態様に従って、コンピュータ可読媒体が提供され、当該コンピュータ可読媒体は、端末デバイスによって実行されるプログラムコードを記憶し、該プログラムコードは、第２の態様における方法を実行するために使用される命令を含む。
【００４７】
第１２の態様に従って、コンピュータ可読媒体が提供され、当該コンピュータ可読媒体は、端末デバイスによって実行されるプログラムコードを記憶し、該プログラムコードは、第３の態様における方法を実行するために使用される命令を含む。
【図面の簡単な説明】
【００４８】
本発明の実施形態における技術的解決法をより明りょうに記載するよう、以下は、本発明の実施形態を記載するために必要とされる添付の図面について簡単に説明する。明らかに、以下の説明における添付の図面は、単に本発明のいくつかの実施形態を示し、当業者は、創造的な努力なしでそれらの添付の図面から他の図面を依然として導き出し得る。
【００４９】
【図１】本発明の実施形態に従う、免許不要帯域に基づく無線通信方法の略フローチャートである。
【図２】本発明の実施形態に従う、免許不要帯域に基づく無線通信方法の略フローチャートである。
【図３】本発明の実施形態に従う、免許不要帯域に基づく無線通信方法の略フローチャートである。
【図４】本発明の実施形態に従う基地局の略構造図である。
【図５】本発明の実施形態に従う端末デバイスの略構造図である。
【図６】本発明の実施形態に従う端末デバイスの略構造図である。
【図７】本発明の実施形態に従う基地局の略構造図である。
【図８】本発明の実施形態に従う端末デバイスの略構造図である。
【図９】本発明の実施形態に従う端末デバイスの略構造図である。
【発明を実施するための形態】
【００５０】
以下は、本発明の実施形態における添付の図面を参照して、本発明の実施形態における技術的解決法を明りょうに且つ完全に記載する。明らかに、記載される実施形態は、本発明の実施形態の一部であって全部ではない。創造的な努力なしで本発明の実施形態に基づき当業者によって手に入れられる他の全ての実施形態は、本発明の保護範囲の中にあるべきである。
【００５１】
本発明の技術的解決法は、グローバル・システム・フォー・モバイル・コミュニケーションズ（Global  System  of  Mobile  communication，ＧＳＭ）、符号分割多重アクセス（Code  Division  Multiple  Access，ＣＤＭＡ）システム、広帯域符号分割多重アクセス（Wideband  Code  Division  Multiple  Access，ＷＣＤＭＡ）システム、汎用パケット無線サービス（General  Packet  Radio  Service，ＧＰＲＳ）システム、ロング・ターム・エボリューション（Long  Term  Evolution，ＬＴＥ）システム、ロング・ターム・エボリューション・アドバンスド（Advanced  long  term  evolution，ＬＴＥ−Ａ）システム、ユニバーサル移動体通信システム（Universal  Mobile  Telecommunication  System，ＵＭＴＳ）、及び５Ｇシステムのような、様々な通信システムに適用されてよいことが理解されるべきである。
【００５２】
本発明の実施形態における端末デバイスは、ユーザ機器（User  Equipment，ＵＥ）、アクセス端末、加入者ユニット、加入者局、移動局、モバイルコンソール、遠隔局、遠隔端末、モバイル機器、ユーザ端末、端末、無線通信デバイス、ユーザエージェント、ユーザ装置、又は同様のものであってもよい。アクセス端末は、携帯電話機、コードレス電話機、セッション開始プロトコル（Session  Initiation  Protocol，ＳＩＰ）電話機、無線ローカルループ（Wireless  Local  Loop，ＷＬＬ）局、パーソナル・デジタル・アシスタント（Personal  Digital  Assistant，ＰＤＡ）、無線通信機能を備えた携帯機器、コンピュータ装置、無線モデムに接続された他の処理装置、車載機器、ウェラブル機器、将来の５Ｇネットワーク内の端末デバイス、将来の進化した公衆陸上移動網（Public  Land  Mobile  Network，ＰＬＭＮ）内の端末デバイス、又は同様のものであってよい。これは、本発明の実施形態において制限されない。
【００５３】
本発明の実施形態において、基地局は、ＧＳＭ又はＣＤＭＡにおけるトランシーバ基地局（Base  Transceiver  Station、ＢＴＳ）であってよく、あるいは、ＷＣＤＭＡにおけるノードＢ（NodeB）であってよく、あるいは、ＬＴＥにおけるエボルブド・ノードＢ（evolved  NodeB，ｅＮＢ又はｅ−ＮｏｄｅＢ）であってよく、あるいは、５Ｇシステムにおいてアクセスサービスを提供するアクセスポイントであってよい。これは、本発明の実施形態において制限されない。
【００５４】
図１は、本発明の実施形態に従う、免許不要帯域に基づく無線通信方法の略フローチャートである。図１における方法は、次のステップを含む。
【００５５】
１１０．基地局は、第１ＣＣＡを使用することによって、免許不要帯域で第１キャリアを占有する。ここで、第１ＣＣＡは、ランダムバックオフを有するＣＣＡである。
【００５６】
１２０．基地局は、第２ＣＣＡを使用することによって、免許不要帯域で第２キャリアを占有する。ここで、第２ＣＣＡは、シングルスロットＣＣＡである。
【００５７】
本発明のこの実施形態では、第１ＣＣＡ及び第２ＣＣＡの両方ともが成功裏に実行される場合に、基地局は、第１キャリア及び第２キャリアの両方でダウンリンク情報を送ってよいことが理解されるべきである。第１ＣＣＡの実行が失敗に終わる場合には、基地局は、第２ＣＣＡが成功裏に実行されるかどうかにかかわらず、第２キャリアでダウンリンク情報を送ることができない。
【００５８】
免許不要帯域は、ＬＴＥの許可されたスペクトル以外のスペクトルであってよい。例えば、免許不要帯域は、５ＧＨｚ帯域でのスペクトルであってよい。
【００５９】
第１キャリアに対して第１ＣＣＡを実行する場合に、基地局は、前もってセットされたコンテンションウィンドウ値に基づきバックオフカウンタをランダムに選択し、次いで、第１キャリアに対して第１ＣＣＡを実行する。チャネルが遊休状態である場合には、バックオフカウンタの値は１だけ減らされ、あるいは、チャネルが遊休状態でない場合には、バックオフカウンタの値は変化しないままである。斯様なプロセスは、バックオフカウンタが０に減らされるまで循環的に実行される。基地局は、この場合にのみそのキャリアで情報を送ることができる。
【００６０】
第２キャリアを占有することより前に、基地局は、第２ＣＣＡを使用することによって第１キャリアを評価する。具体的に、第２キャリアが遊休状態であると基地局が検出することを条件として、基地局は、ランダムバックオフを有するＣＣＡのためのバックオフ処理なしで、第２キャリアで情報を送ることができる。その上、シングルスロットＣＣＡのスロット長の値は、前もって定義されてよく、あるいは、基地局によって設定されてよく、あるいは、特定のルールに従ってセットされてよい。シングルスロットＣＣＡの比較的よく見られるスロット長は、１６マイクロ秒又は２５マイクロ秒である。
【００６１】
任意に、第１ＣＣＡ及び第２ＣＣＡが成功裏に実行される場合に、基地局は、第１キャリア及び第２キャリアで端末デバイス又は他のデバイスへダウンリンク情報を送ってよい。
【００６２】
ここで、第１ＣＣＡが成功裏に実行されるとは、基地局が第１キャリアに対してＣＣＡを実行する場合に、バックオフカウンタのカウント値が０まで減らされ、基地局がある期間に第１キャリアを占有し、第１キャリアで信号を送ることができることを意味することが理解されるべきである。その上、第２ＣＣＡが成功裏に実行されるとは、基地局が、スロット長範囲内で、キャリアが遊休状態であると検知することを条件として、基地局がキャリアで情報を送ることができることを意味する。
【００６３】
第１ＣＣＡの間、信号がキャリアで送られ得る前にチャネルが遊休状態であると、複数のスロットにおいて検出される必要があることが理解されるべきである。しかし、第２ＣＣＡの間、信号は、あるスロットにおいてキャリアが遊休状態であると検出されることを条件として、そのキャリアで送られ得る。従って、同じキャリアの場合に、キャリアは、第１ＣＣＡを使用することによって占有する方が難しく、一方、キャリアは、第２ＣＣＡを使用することによって占有する方が難しくない。
【００６４】
検出がキャリアに対して実行される場合に、チャネルのエネルギが前もってセットされた閾値よりも小さいことが検出されるならば、そのチャネルは遊休状態であると考えられてよく、この場合には、他のデバイスはそのチャネルを占有しておらず、あるいは、チャネルのエネルギが前もってセットされた閾値以上であることが検出されるならば、そのチャネルは非遊休状態、すなわち、ビジー状態にあると考えられてよく、この場合には、他のデバイスがそのチャネルを占有していることが理解されるべきである。
【００６５】
本発明のこの実施形態で言及されているキャリアはチャネルであり、キャリア及びチャネルは区別されないことが理解されるべきである。
【００６６】
ＣＣＡカテゴリは、カテゴリ４（category  4）、カテゴリ３（category  3）、カテゴリ２（category  2）、及びカテゴリ（category  1）を特に含んでよく、様々なＣＣＡカテゴリの意味は、具体的に次の通りである。
【００６７】
category  4：キャリアに対して検出を実行する場合に、ノードは、可変な長さを有するコンテンションウィンドウをセットし、コンテンションウィンドウにおいてバックオフカウンタをランダムに選択する。キャリアが遊休状態である場合に、バックオフカウンタのカウント値は１だけ減らされ、あるいは、キャリアが遊休状態でない場合には、バックオフカウンタのカウント値は変化しないままである。斯様なプロセスは、バックオフカウンタの値が０に減らされるまで循環的に実行される。ノードは、バックオフカウンタの値が０まで減らされる場合にのみ、そのキャリアで情報を送ることができる。
【００６８】
category  3：キャリアに対して検出を実行する場合に、ノードは、固定長さを有するコンテンションウィンドウをセットし、コンテンションウィンドウにおいてランダムバックオフコンポーネントをランダムに選択する。キャリアが遊休状態である場合に、バックオフカウンタのカウント値は１だけ減らされ、あるいは、キャリアが遊休状態でない場合には、バックオフカウンタのカウント値は変化しないままである。斯様なプロセスは、バックオフカウンタの値が０に減らされるまで循環的に実行される。ノードは、この場合にそのキャリアで情報を送ることができる。category  3とcategory  4との間の違いは、コンテンションウィンドウの長さがcategory  3の場合に固定である点である。
【００６９】
category  2：キャリアに対して検出を実行する場合に、ノードは、ノードが、一定時間（例えば、１６マイクロ秒又は２５マイクロ秒）内で、キャリアが遊休状態にあると検出することを条件として、そのキャリアで情報を直接送ることができる。
【００７０】
category  1：ノードは、キャリアを検知せずに、キャリアで情報を直接送る。
【００７１】
ＣＣＡタイプの中で、category  4及びcategory  3は、ランダムバックオフを有するＣＣＡに対応し、category  2は、シングルスロットＣＣＡに対応することが理解されるべきである。その上、シングルスロットＣＣＡは、category  2のＣＣＡに制限されず、他のシングルスロットＣＣＡに拡張されてよい。例えば、２５マイクロ秒の一定時間に検出を実行することは不要であり、代わりに、検出は、時間ウィンドウ内で複数回、２５マイクロ秒間実行されてよい。キャリアが遊休状態であると一度検出されることを条件として、シングルスロットＣＣＡは成功裏に実行されると考えられてよい。
【００７２】
１３０．基地局は、第１指示情報を端末デバイスへ送る。ここで、第１指示情報は、端末デバイスに、第２キャリアで基地局へアップリンク情報を送るよう指示するために使用される。
【００７３】
任意に、実施形態において、第１指示情報を受けた後、基地局は最初に、第２キャリアに対して第３ＣＣＡを実行し、第３ＣＣＡが成功裏に実行される場合に第１キャリアで基地局へアップリンク情報を送る。
【００７４】
任意に、第１指示情報を受けた後、端末デバイスは、第１ＭＣＯＴにおいて第２キャリアで基地局へアップリンク情報を送る。第１ＭＣＯＴは、基地局が第１キャリアを占有することができる最長持続時間である。
【００７５】
複数の第２キャリア及び１つの第１キャリアがある場合に、端末デバイスは、第１ＭＣＯＴにおいて複数の第２キャリアでアップリンク情報を送ってよいことが理解されるべきである。
【００７６】
任意に、第１ＭＣＯＴは、第１ＣＣＡのコンテンションウィンドウ、及び基地局によって行われる第１ＣＣＡに対応するダウンリンクサービスレベルに基づき、決定される。
【００７７】
具体的に言えば、第１ＭＣＯＴは、第１キャリアに対して基地局によって行われる、ランダムバックオフを有するＣＣＡのパラメータに対応し、パラメータは、第１キャリアに対して基地局によって行われる、ランダムバックオフを有するＣＣＡのコンテンションウィンドウ値、及び第１キャリアに対して基地局によって行われる、ランダムバックオフを有するＣＣＡに対応するダウンリンクサービスレベル、のうちの少なくとも１つを含んでよい。例えば、より大きいコンテンションウィンドウ値は、より長い第１ＭＣＯＴを示し、より高いサービスレベルは、より短い第１ＭＣＯＴを示す。
【００７８】
端末デバイスは、第１ＭＣＯＴにおいて第２キャリアで基地局へアップリンク情報を送ってよく、この場合に、第２キャリアでの基地局の第２ＭＣＯＴは、第１ＭＣＯＴに等しくなり得ると考えられてよいことが理解されるべきある。すなわち、基地局がシングルスロットＣＣＡを実行する複数のキャリア、及び基地局がランダムバックオフを有するＣＣＡを実行するキャリアは、目下、共通のＭＣＯＴ、すなわち、第１ＭＣＯＴを有している。複数のキャリアによって共有される第１ＭＣＯＴは、基地局によって行われる、ランダムバックオフを有するＣＣＡのＣＣＡパラメータによって、決定される。
【００７９】
端末デバイスは、第１ＭＣＯＴ又は第２ＭＣＯＴにおいて第２キャリアで基地局へアップリンク情報を送ってよい。ここで、第２ＭＣＯＴは、基地局が第２キャリアを占有することができる最長持続時間である。第１ＭＣＯＴと同様に、第２ＭＣＯＴも、第１ＣＣＡのコンテンションウィンドウ、及び／又は基地局によって行われる第２ＣＣＡに対応するダウンリンクサービスレベルに基づき、決定されてよい。
【００８０】
端末デバイスが第１ＭＣＯＴ又は第２ＭＣＯＴにおいて第２キャリアで基地局へアップリンク情報を送るとは、端末デバイスが第１ＭＣＯＴ又は第２ＭＣＯＴにおける基地局の占有時間以外の残り時間においてアップリンク情報を送ることを意味することが理解されるべきである。例えば、第１ＭＣＯＴが１０ｍｓであり、基地局が実際に第２キャリアを占有する時間が４ｍｓである場合には、端末デバイスは、６ｍｓの残り時間において第２キャリアを占有し、第２キャリアで基地局へアップリンク情報を送ってよく、あるいは、第２ＭＣＯＴが６ｍｓであり、基地局が実際に第１キャリアを占有する時間が４ｍｓである場合には、端末デバイスは、２ｍｓの残り時間において第２キャリアを占有し、第２キャリアで基地局へアップリンク情報を送ってよい。一般に、第１ＣＣＡを使用することによってキャリアを占有する方が難しく、キャリアが先取りされると、より長い占有時間が割り当てられ、且つ、第２キャリアを使用することによってキャリアを占有することは容易であり、キャリアを占有する時間はより短いので、第１ＭＣＯＴは第２ＭＣＯＴよりも長い。従って、端末デバイスが第１ＭＣＯＴにおいて基地局へアップリンク情報を送る場合に、端末デバイスがアップリンク情報を送るために第２キャリアを占有することができる時間は、より長い。従って、本発明のこの実施形態では、端末デバイスは、第１ＭＣＯＴ又は第２ＭＣＯＴにおいて基地局へアップリンク情報を送ってよく、そのため、第１キャリアを使用することによって端末デバイスによってアップリンク情報を送る柔軟性は、改善される。
【００８１】
１４０．基地局は、第２キャリアで端末デバイスからのアップリンク情報を受ける。
【００８２】
本発明のこの実施形態では、基地局は、シングルスロットＣＣＡを使用することによって占有されるキャリアも端末デバイスと共有し得る。それにより、端末デバイスは、そのキャリアでアップリンク情報を送ることもできる。従って、免許不要帯域リソースの利用は改善される。
【００８３】
任意に、実施形態において、基地局は、第２指示情報を端末デバイスへ送る。第２指示情報は、端末デバイスがアップリンク情報を送る前に第２キャリアに対して端末デバイスによって行われる第３ＣＣＡのＣＣＡタイプを示すために使用され、第３ＣＣＡのカテゴリは、ランダムバックオフを有するＣＣＡ、又はシングルスロットＣＣＡであってよい。
【００８４】
第２指示情報は、ＣＣＡタイプを直接示してよく、第２指示情報を受けた後、端末デバイスは、第２指示情報によって示されるＣＣＡタイプに基づき第２キャリアを直接評価してよいことが理解されるべきである。第２キャリアに対して端末デバイスによって行われる第３ＣＣＡのカテゴリは、基地局によって決定されてよい。基地局は、第２指示情報を使用することによって、端末デバイスに、シングルスロットＣＣＡを使用することによって第２キャリアを直接評価するよう指示してよい。このように、端末デバイスは、第２キャリアが遊休状態であると検出する場合に、基地局へアップリンク情報を送るために第２キャリアを使用することができ、それにより、端末デバイスは、第２キャリアを速やかに占有し、アップリンク情報を基地局へ送る。しかし、基地局が、第２指示情報を使用することによって、端末デバイスに、ランダムバックオフを有するＣＣＡを使用することによって第２キャリアを評価するよう指示する場合には、端末デバイスが第２キャリアを占有することはより難しくなり、端末デバイスは、ランダムバックオフを有するＣＣＡが完全に成功裏に実行される場合にのみ第２キャリアでアップリンク情報を送ることができる。
【００８５】
任意に、実施形態において、第２指示情報は、第３ＣＣＡのインターバル情報を運び、第３ＣＣＡのインターバル情報は、端末デバイスがアップリンク情報を送る前に第２キャリアに対して端末デバイスによって行われる第３ＣＣＡのＣＣＡタイプを示すために使用される。
【００８６】
第２指示情報を受けた後、端末は、第３ＣＣＡのＣＣＡインターバル、及びＣＣＡインターバルと候補ＣＣＡタイプとの間の対応に基づき、第３ＣＣＡのＣＣＡタイプを決定してよい。候補ＣＣＡタイプは、ランダムバックオフを有するＣＣＡ、及びシングルスロットＣＣＡを含む。
【００８７】
第２指示情報における第３ＣＣＡのＣＣＡインターバル情報はＣＣＡタイプを間接的に示し、ＣＣＡインターバル指示情報を受けた後、端末デバイスは、最初にＣＣＡインターバル指示情報に基づき第３ＣＣＡのＣＣＡタイプを決定し、次いで、第２キャリアに対して第３ＣＣＡを実行する必要があることが理解されるべきである。例えば、第１ＣＣＡインターバルは、ランダムバックオフを有するＣＣＡに対応し、第２ＣＣＡインターバルは、シングルスロットＣＣＡに対応する。ＣＣＡインターバル指示情報が第１ＣＣＡインターバル情報を運ぶ場合に、端末デバイスは、第３ＣＣＡがランダムバックオフを有するＣＣＡであると決定し、あるいは、ＣＣＡインターバル指示情報が第２ＣＣＡインターバル情報を運ぶ場合に、端末デバイスは、第３ＣＣＡがシングルスロットＣＣＡであると決定する。
【００８８】
端末デバイスが第２キャリアでアップリンク情報を送る場合に、基地局は、ダウンリンク情報を送信するための機会を端末デバイスと共有し、それにより、端末デバイスは、その機会を使用することによってアップリンク情報を送信することができる。このように、同じキャリアがアップリンク及びダウンリンク情報伝送のために使用可能であり、キャリアリソースの利用は改善される。
【００８９】
基地局は、第１キャリアに対してはcategory  4のＣＣＡ（基地局が第１キャリアを占有することを許される時間が第２ＭＣＯＴである場合）を実行し、第２キャリアに対してはcategory  2のＣＣＡ（基地局が第２キャリアを占有することを許される時間が第１ＭＣＯＴである場合）を実行する、と仮定される。基地局は、第２キャリアでダウンリンク情報を送るための機会を第２ＭＣＯＴにおいて端末デバイスと共有してよく、それにより、端末デバイスはアップリンク情報を送る。代替的に、基地局は、第１キャリアでダウンリンク情報を送るための機会を第１ＭＣＯＴにおいて端末デバイスと共有してよく、それにより、端末デバイスはアップリンク情報を送る。第１キャリアに対してＬＢＴを実行するよう端末デバイスによって第２キャリアで基地局へアップリンク情報を送る３つの場合がある。
【００９０】
場合１：第１ＭＣＯＴにおいて、端末デバイスは、第２キャリアで基地局へアップリンク情報を送る。すなわち、基地局は、第２ＭＣＯＴを端末デバイスと共有せず、第１ＭＣＯＴを端末デバイスと共有し、それにより、端末デバイスは、第１ＭＣＯＴにおいて第１キャリアでアップリンク情報を送る。例えば、第１ＭＣＯＴが８ｍｓであり、基地局がダウンリンク情報を送るために４ｍｓを占有する場合に、残りの４ｍｓは、端末デバイスがcategory  2のＣＣＡを使用することによって第２キャリアでアップリンク情報を送信する場合に使用されてよく、端末デバイスがcategory  4のＣＣＡを使用することによって第１キャリアでアップリンク情報を送信する場合にも使用されてよい。すなわち、ＭＣＯＴは、キャリアにわたって共有され得る。
【００９１】
場合２：第２ＭＣＯＴにおいて、端末デバイスは、第２キャリアで基地局へアップリンク情報を送る。具体的に、基地局は、第２キャリアでのサービスの優先順位を決定し、次いで、サービスの優先順位とＭＣＯＴ値との間の対応（一般に、夫々のサービスの優先順位は１つのＭＣＯＴ値に対応し、例えば、より優先順位の高いサービスは、通常、より小さいＭＣＯＴ値を示す。）に基づき、第１キャリアに対してＭＣＯＴ値を決定してよい。基地局がダウンリンク情報を送る時間と、端末デバイスがアップリンク情報を送る時間との和が、第２ＭＣＯＴの範囲内にある場合には、端末デバイスが第２キャリアで基地局へアップリンク情報を送る前に、端末デバイスは、category  2のＣＣＡを実行してよい。さもなければ、端末デバイスは、category  4のＣＣＡを実行する必要がある。
【００９２】
場合３：基地局がダウンリンク情報を送る時間と、端末デバイスがアップリンク情報を送る時間との和が第１ＭＣＯＴ又は第２ＭＣＯＴの範囲内にあるかどうかにかかわらず、ＵＥは、category  4のＣＣＡしか実行することができない。
【００９３】
図１を参照して、上記は、基地局の視点から、本発明の実施形態における免許不要帯域に基づく無線通信方法について記載する。図2を参照して、以下は、端末デバイスの視点から、本発明の実施形態における免許不要帯域に基づく無線通信方法について詳細に記載する。
【００９４】
図２は、本発明の実施形態に従う、免許不要帯域に基づく無線通信方法の略フローチャートである。図２における方法は、次のステップを含む。
【００９５】
２１０．端末デバイスは、免許不要帯域で基地局によって占有される第１キャリア及び第２キャリアを決定する。ここで、基地局は、第１クリアチャネル評価ＣＣＡを使用することによって第１キャリアを占有し、且つ、第２ＣＣＡを使用することによって第２キャリアを占有する。第１ＣＣＡは、ランダムバックオフを有するＣＣＡであり、第２ＣＣＡは、シングルスロットＣＣＡである。
【００９６】
２２０．端末デバイスは、第１指示情報を基地局から受ける。ここで、第１指示情報は、端末デバイスに、第２キャリアで基地局へアップリンク情報を送るよう指示するために使用される。
【００９７】
２３０．端末デバイスは、第１指示情報に基づき第２キャリアで基地局へアップリンク情報を送る。
【００９８】
本発明のこの実施形態では、基地局は、シングルスロットＣＣＡを使用することによって占有されるキャリアも端末デバイスと共有してよく、それにより、端末デバイスは、そのキャリアでアップリンク情報を送ることができる。従って、免許不要帯域リソースの利用は改善される。
【００９９】
任意に、実施形態において、端末デバイスによって、第１指示情報に基づき第２キャリアで基地局へアップリンク情報を送ることは、端末デバイスによって、第１最長キャリア占有時間ＭＣＯＴにおいて第２キャリアで基地局へアップリンク情報を送ることを含む。ここで、第１ＭＣＯＴは、基地局が第１キャリアを占有することができる最長持続時間である。
【０１００】
任意に、実施形態において、第１ＭＣＯＴは、第１ＣＣＡのコンテンションウィンドウ、及び／又は基地局によって行われる第１ＣＣＡに対応するダウンリンクサービスレベルに基づき、決定される。
【０１０１】
任意に、実施形態において、端末デバイスによって第１指示情報に基づき第２キャリアで基地局へアップリンク情報を送ることより前に、方法は、端末デバイスによって、第２キャリアに対して第３ＣＣＡを実行することを更に含む。端末デバイスによって第１指示情報に基づき第１キャリアで基地局へアップリンク情報を送ることは、第３ＣＣＡが成功裏に実行される場合に、端末デバイスによって、第１キャリアで基地局へアップリンク情報を送ることを含む。
【０１０２】
任意に、実施形態において、端末デバイスは、第２指示情報を基地局から受ける。端末デバイスは、第２指示情報に基づき第３ＣＣＡのＣＣＡタイプを決定し、第３ＣＣＡのＣＣＡタイプは、ランダムバックオフを有するＣＣＡ、又はシングルスロットＣＣＡである。
【０１０３】
任意に、実施形態において、第２指示情報は、第３ＣＣＡのＣＣＡインターバル情報を含み、端末デバイスによって第２指示情報に基づき第３ＣＣＡのＣＣＡタイプを決定することは、端末デバイスによって、第３ＣＣＡのＣＣＡインターバル、及びＣＣＡインターバルと候補ＣＣＡタイプとの間の対応に基づき、第３ＣＣＡのＣＣＡタイプを決定することを含み、候補ＣＣＡタイプは、ランダムバックオフを有するＣＣＡ、及びシングルスロットＣＣＡを含む。
【０１０４】
図１及び図２を参照して、上記は、夫々基地局の視点及び端末デバイスの視点から、本発明の実施形態における免許不要帯域に基づく無線通信方法について詳細に記載する。実際に、基地局によって占有されるキャリアを、アップリンク情報を送るために、共有する場合に、端末デバイスは最初に、キャリアに対してＣＣＡ検出を実行する必要がある。キャリアに対するＣＣＡ検出の間、キャリアでの信号のエネルギが決定されてよく、信号のエネルギが閾値よりも小さい場合に、キャリアが遊休状態にあると見なされる。従って、端末デバイスが基地局によって占有されるキャリアを共有する場合に、ＣＣＡ検出のためのエネルギ検出閾値をセットする方法が、検討される必要がある課題である。
【０１０５】
先行技術では、基地局が、複数のキャリアに対してＣＣＡ検出を実行し、且つ、ランダムバックオフを有するＣＣＡを使用することによって第１キャリアに対して検出を実行し、そして、第１キャリアに対して実行される検出のためのエネルギ検出閾値が第１エネルギ検出閾値である場合に、基地局が他のキャリアに対してＣＣＡ検出を実行するときに使用されるエネルギ検出閾値も、第１エネルギ検出閾値にセットされる。すなわち、エネルギ検出閾値は、第１キャリアに対して実行される検出のためのエネルギ検出閾値と一致する。しかし、この方法は十分に柔軟ではなく、複数のキャリアの性能は徹底的には検討されず、端末デバイスがアップリンク情報を送る前にキャリアに対して実行されるＣＣＡ検出のためのエネルギ閾値は特定されていない。従って、新しい方法は、端末デバイスが基地局によって占有されるキャリアを共有しアップリンク情報を送る前に、キャリアに対して行われるＣＣＡのためのエネルギ検出閾値を決定することを求められる。図３を参照して、以下は、本発明の実施形態における免許不要帯域に基づく無線通信方法について詳細に記載する。
【０１０６】
図３は、本発明の実施形態に従う、免許不要帯域に基づく無線通信方法の略フローチャートである。図３における方法は、次のステップを含む。
【０１０７】
３１０．端末デバイスは、免許不要帯域での第１キャリアのエネルギ検出閾値を、免許不要帯域での複数のキャリアのエネルギ検出閾値に基づき決定する。
【０１０８】
３２０．端末デバイスは、第１キャリアのエネルギ検出閾値に基づき、第１キャリアに対して第１ＣＣＡを実行する。ここで、第１ＣＣＡは、シングルスロットＣＣＡである。
【０１０９】
３３０．端末デバイスは、複数のキャリアのエネルギ検出閾値に基づき、複数のキャリアに対して第２ＣＣＡを別途実行する。ここで、第２ＣＣＡは、ランダムバックオフを有するＣＣＡである。
【０１１０】
任意に、第１キャリア及び複数のキャリアは、基地局が成功裏にＣＣＡを実行した後に基地局によって占有されるキャリアであってよく、基地局は、端末デバイスが第１キャリアでアップリンク情報を送ることができるように、第１キャリアを端末デバイスと共有する。
【０１１１】
端末デバイスが複数のキャリアに対してＣＣＡを実行する場合に使用されるエネルギ検出閾値は、同じであっても又は異なってもよいことが理解されるべきである。例えば、全部で３つのキャリアがある場合に、３つのキャリアに対して別々にＣＣＡを実行するために使用されるエネルギ検出閾値は、３つの異なる値であってよく、あるいは、他の値であってもよい。
【０１１２】
本発明のこの実施形態では、端末デバイスが複数のキャリアでアップリンク情報を送る場合に、端末デバイスは、包括的に複数のキャリアのエネルギ検出閾値に基づき（複数のキャリアが、ランダムバックオフを有するＣＣＡを使用することによって占有されるキャリアである場合）、シングルスロットＣＣＡが実行されるべきであるキャリアのエネルギ検出閾値をより適切に決定することができる。
【０１１３】
任意に、実施形態において、端末デバイスは、第１ＣＣＡ及び第２ＣＣＡを実行した結果に応じて、第１キャリア及び複数のキャリアでアップリンク情報を送るべきかどうかを判断する。
【０１１４】
第１ＣＣＡ及び第２ＣＣＡの両方ともが成功裏に実行される場合に、端末デバイスは、第１キャリア及び複数のキャリアでアップリンク情報を送ることができる。第１ＣＣＡしか成功裏に実行されない場合には、端末デバイスは、第１キャリアでしかアップリンク情報を送ることができない。
【０１１５】
任意に、実施形態において、端末デバイスは、第１キャリアのエネルギ検出閾値を、複数のキャリアの中の第２キャリアのエネルギ検出閾値に基づき決定し、第２キャリアのエネルギ検出閾値は、複数のキャリアのエネルギ検出閾値の中で最小のエネルギ検出閾値である。
【０１１６】
シングルスロットＣＣＡを使用することによってキャリアを占有することは、ランダムバックオフを有するＣＣＡを使用することによってキャリアを占有することよりも難しく、且つ、エネルギ検出閾値のより小さい値は、キャリアを占有することがより困難であることを示すということで、キャリア占有の公平性のために、第１キャリアのエネルギ検出閾値は、最も小さいエネルギ検出閾値を参照してセットされてよい。
【０１１７】
望ましくは、第１キャリアのエネルギ検出閾値は、第２キャリアのエネルギ検出閾値以下である。具体的に、第１キャリアのエネルギ検出閾値は、第２キャリアのエネルギ検出閾値よりも小さくてよく、第２キャリアのエネルギ検出閾値と第１キャリアのエネルギ検出閾値との間の差は、前もってセットされた第１の差である。
【０１１８】
第１キャリアのエネルギ検出閾値は、第２キャリアのエネルギ検出閾値以下であるようセットされ、それにより、第１キャリアに対して端末デバイスによってＣＣＡを実行するための要件は更に厳しい。従って、アップリンク情報は、より公平にバランスを取られたキャリアで送信され得る。
【０１１９】
任意に、実施形態において、端末デバイスは、第１キャリアのエネルギ検出閾値を、複数のキャリアの中の第３キャリアのエネルギ検出閾値に基づき決定し、第３キャリアは、複数のキャリアの中で最大又は最小のインデックス番号を有しているキャリアである。
【０１２０】
望ましくは、第１キャリアのエネルギ検出閾値は、第３キャリアのエネルギ検出閾値以下である。具体的に、第１キャリアのエネルギ検出閾値は、第３キャリアのエネルギ検出閾値よりも小さくてよく、第３キャリアのエネルギ検出閾値と第１キャリアのエネルギ検出閾値との間の差は、前もってセットされた第３の差である。
【０１２１】
任意に、実施形態において、端末デバイスは、複数のキャリアのエネルギ検出閾値の平均値を、第１キャリアのエネルギ検出閾値として決定する。
【０１２２】
具体的に、複数のキャリアが１０個のキャリアを含む場合に、いずれか２つのキャリアが複数のキャリアから選択されてよく、それら２つのキャリアのエネルギ検出閾値の平均値が、第１キャリアのエネルギ検出閾値としてセットされる。確かに、少なくとも３つのキャリアのエネルギ検出閾値の平均値が、第１キャリアのエネルギ検出閾値としてセットされてもよい。
【０１２３】
任意に、いずれか２つのキャリアが複数のキャリアから選択されてよく、第１キャリアのエネルギ検出閾値は、２つのキャリアのエネルギ検出閾値の間にあるようセットされる。
【０１２４】
図１乃至図３を参照して、上記は、本発明の実施形態における免許不要帯域に基づく無線通信方法について詳細に記載する。図４乃至図９を参照して、以下は、本発明の実施形態における基地局及び端末デバイスについて記載する。
【０１２５】
図４乃至図９で記載される基地局及び端末デバイスは、図１乃至図３における本発明の実施形態における免許不要帯域に基づく無線通信方法のステップを実装可能であることが理解されるべきである。簡潔に、重複する説明は適宜省略される。
【０１２６】
図４は、本発明の実施形態に従う基地局の略構造図である。図４における基地局４００は、
第１クリアチャネル評価ＣＣＡを使用することによって免許不要帯域で第１キャリアを占有するよう構成され、第１ＣＣＡがランダムバックオフを有するＣＣＡである、処理モジュール４１０であり、
処理モジュール４１０が、第２ＣＣＡを使用することによって免許不要帯域で第２キャリアを占有するよう更に構成され、第２ＣＣＡがシングルスロットＣＣＡである、処理モジュール４１０と、
第１指示情報を端末デバイスへ送るよう構成され、第１指示情報が、端末デバイスに、第２キャリアで基地局へアップリンク情報を送るよう指示するために使用される、送信モジュール４２０と、
第２キャリアで端末デバイスからのアップリンク情報を受けるよう構成される受信モジュール４３０と
を含む。
【０１２７】
本発明のこの実施形態では、基地局は、シングルスロットＣＣＡを使用することによって占有されるキャリアも端末デバイスと共有してよく、それにより、端末デバイスは、そのキャリアでアップリンク情報を送ることもできる。従って、免許不要帯域リソースの利用は改善される。
【０１２８】
任意に、実施形態において、第１指示情報は、端末デバイスに、第１最長キャリア占有時間ＭＣＯＴにおいて第２キャリアで基地局へアップリンク情報を送るよう指示するために特に使用され、第１ＭＣＯＴは、基地局が第１キャリアを占有することができる最長持続時間である。
【０１２９】
任意に、実施形態において、第１ＭＣＯＴは、第１ＣＣＡのコンテンションウィンドウ、及び／又は基地局によって行われる第１ＣＣＡに対応するダウンリンクサービスレベルに基づき、決定される。
【０１３０】
任意に、実施形態において、送信モジュール４２０は、第２指示情報を端末デバイスへ送るよう更に構成され、第２指示情報は、端末デバイスがアップリンク情報を送る前に第２キャリアに対して端末デバイスによって行われる第３ＣＣＡのＣＣＡタイプを示すために使用され、第３ＣＣＡのＣＣＡタイプは、ランダムバックオフを有するＣＣＡ、又はシングルスロットＣＣＡである。
【０１３１】
任意に、実施形態において、第２指示情報は、第３ＣＣＡのインターバル情報を運び、第３ＣＣＡのインターバル情報は、第３ＣＣＡのＣＣＡタイプを示すために使用される。
【０１３２】
図４における基地局４００は、基地局によって実行される図１に示された免許不要帯域に基づく無線通信方法におけるステップを実行することができることが理解されるべきである。
【０１３３】
図５は、本発明の実施形態に従う端末デバイスの略構造図である。図５における端末デバイス５００は、
免許不要帯域で基地局によって占有される第１キャリア及び第２キャリアを決定するよう構成され、基地局が、第１クリアチャネル評価ＣＣＡを使用することによって第１キャリアを占有し、且つ、第２ＣＣＡを使用することによって第２キャリアを占有し、第１ＣＣＡが、ランダムバックオフを有するＣＣＡであり、第２ＣＣＡが、シングルスロットＣＣＡである、決定モジュール５１０と、
第１指示情報を基地局から受けるよう構成され、第１指示情報が、端末デバイスに、第２キャリアで基地局へアップリンク情報を送るよう指示するために使用される、受信モジュール５２０と、
第１指示情報に基づき第２キャリアで基地局へアップリンク情報を送るよう構成される送信モジュール５３０と
を含む。
【０１３４】
本発明のこの実施形態では、基地局は、シングルスロットＣＣＡを使用することによって占有されるキャリアも端末デバイスと共有してよく、それにより、端末デバイスは、そのキャリアでアップリンク情報を送ることもできる。従って、免許不要帯域リソースの利用は改善される。
【０１３５】
任意に、実施形態において、送信モジュール５３０は、第１最長キャリア占有時間ＭＣＯＴにおいて第２キャリアで基地局へアップリンク情報を送るよう特に構成され、第１ＭＣＯＴは、基地局が第１キャリアを占有することができる最長持続時間である。
【０１３６】
任意に、実施形態において、第１ＭＣＯＴは、第１ＣＣＡのコンテンションウィンドウ、及び／又は基地局によって行われる第１ＣＣＡに対応するダウンリンクサービスレベルに基づき、決定される。
【０１３７】
任意に、実施形態において、端末デバイスは、第２キャリアに対して第３ＣＣＡを実行するよう構成される検出モジュール５４０を更に含む。送信モジュール５３０は、第３ＣＣＡが成功裏に実行される場合に、第２キャリアで基地局へアップリンク情報を送るよう特に構成される。
【０１３８】
任意に、実施形態において、受信モジュール５３０は、第２指示情報を基地局から受けるよう更に構成され、決定モジュール５１０は、第２指示情報に基づき第３ＣＣＡのＣＣＡタイプを決定するよう更に構成され、第３ＣＣＡのＣＣＡタイプは、ランダムバックオフを有するＣＣＡ、又はシングルスロットＣＣＡである。
【０１３９】
任意に、実施形態において、第２指示情報は、第３ＣＣＡのＣＣＡインターバル情報を含み、決定モジュール５１０は、第３ＣＣＡのＣＣＡインターバル、及びＣＣＡインターバルと候補ＣＣＡタイプとの間の対応に基づき、第３ＣＣＡのＣＣＡタイプを決定するよう特に構成され、候補ＣＣＡタイプは、ランダムバックオフを有するＣＣＡ、及びシングルスロットＣＣＡを含む。
【０１４０】
図５における端末デバイス５００は、端末デバイスによって実行される図２に示された免許不要帯域に基づく無線通信方法におけるステップを実行することができることが理解されるべきである。
【０１４１】
図６は、本発明の実施形態に従う端末デバイスの略構造図である。図６における端末デバイス６００は、
免許不要帯域での第１キャリアのエネルギ検出閾値を、免許不要帯域での複数のキャリアのエネルギ検出閾値に基づき決定するよう構成される決定モジュール６１０と、
第１キャリアのエネルギ検出閾値に基づき第１キャリアに対して第１ＣＣＡを実行するよう構成され、第１ＣＣＡがシングルスロットＣＣＡである、検出モジュール６２０と
を含み、
検出モジュール６２０は、複数のキャリアのエネルギ検出閾値に基づき複数のキャリアに対して第２ＣＣＡを別途実行するよう更に構成され、第２ＣＣＡは、ランダムバックオフを有するＣＣＡである。
【０１４２】
本発明のこの実施形態では、端末デバイスが複数のキャリアでアップリンク情報を送る場合に、端末デバイスは、包括的に複数のキャリアのエネルギ検出閾値に基づき（複数のキャリアが、ランダムバックオフを有するＣＣＡを使用することによって占有されるキャリアである場合）、シングルスロットＣＣＡが実行されるべきであるキャリアのエネルギ検出閾値をより適切に決定することができる。
【０１４３】
任意に、実施形態において、決定モジュール６１０は、第１ＣＣＡ及び第２ＣＣＡを実行した結果に応じて、第１キャリア及び複数のキャリアでアップリンク情報を送るべきかどうかを判断するよう更に構成される。
【０１４４】
任意に、実施形態において、決定モジュール６１０は、第１キャリアのエネルギ検出閾値を、複数のキャリアの中の第２キャリアのエネルギ検出閾値に基づき決定するよう特に構成され、第２キャリアのエネルギ検出閾値は、複数のキャリアのエネルギ検出閾値の中で最小のエネルギ検出閾値である。
【０１４５】
任意に、実施形態において、決定モジュール６１０は、第１キャリアのエネルギ検出閾値が第２キャリアのエネルギ検出閾値以下であると決定するよう特に構成される。
【０１４６】
任意に、実施形態において、決定モジュール６１０は、第１キャリアのエネルギ検出閾値を、複数のキャリアの中の第３キャリアのエネルギ検出閾値に基づき決定するよう特に構成され、第３キャリアは、複数のキャリアの中で最大又は最小のインデックス数を有しているキャリアである。
【０１４７】
任意に、実施形態において、決定モジュール６１０は、第１キャリアのエネルギ検出閾値が第３キャリアのエネルギ検出閾値以下であると決定するよう特に構成される。
【０１４８】
図６における端末デバイス６００は、端末デバイスによって実行される図３に示された免許不要帯域に基づく無線通信方法におけるステップを実行することができることが理解されるべきである。
【０１４９】
図７は、本発明の実施形態に従う基地局の略構造図である。図７における基地局７００は、
プログラムを記憶するよう構成されるメモリ７１０と、
メモリ７１０内のプログラムを実行するよう構成されるプロセッサ７２０であって、プログラムを実行する場合に、プロセッサ７２０が、第１クリアチャネル評価ＣＣＡを使用することによって免許不要帯域で第１キャリアを占有するよう構成され、第１ＣＣＡが、ランダムバックオフを有するＣＣＡであり、
プロセッサ７２０が、第２ＣＣＡを使用することによって免許不要帯域で第２キャリアを占有するよう更に構成され、第２ＣＣＡが、シングルスロットＣＣＡである、プロセッサ７２０と、
第１指示情報を端末デバイスへ送るよう構成され、第１指示情報が、端末デバイスに、第２キャリアで基地局へアップリンク情報を送るよう指示するために使用される、トランシーバ７３０であって、
トランシーバ７３０が、第２キャリアで端末デバイスからのアップリンク情報を受けるよう更に構成される、トランシーバ７３０と
を含む。
【０１５０】
本発明のこの実施形態では、基地局は、シングルスロットＣＣＡを使用することによって占有されるキャリアも端末デバイスと共有してよく、それにより、端末デバイスは、そのキャリアでアップリンク情報を送ることもできる。従って、免許不要帯域リソースの利用は改善される。
【０１５１】
任意に、実施形態において、第１指示情報は、端末デバイスに、第１最長キャリア占有時間ＭＣＯＴにおいて第２キャリアで基地局へアップリンク情報を送るよう指示するために特に使用され、第１ＭＣＯＴは、基地局が第１キャリアを占有することができる最長持続時間である。
【０１５２】
任意に、実施形態において、第１ＭＣＯＴは、第１ＣＣＡのコンテンションウィンドウ、及び／又は基地局によって行われる第１ＣＣＡに対応するダウンリンクサービスレベルに基づき、決定される。
【０１５３】
任意に、実施形態において、プロセッサ７２０は、第２指示情報を端末デバイスへ送るよう更に構成され、第２指示情報は、端末デバイスがアップリンク情報を送る前に第２キャリアに対して端末デバイスによって行われる第３ＣＣＡのＣＣＡタイプを示すために使用され、第３ＣＣＡのＣＣＡタイプは、ランダムバックオフを有するＣＣＡ、又はシングルスロットＣＣＡである。
【０１５４】
任意に、実施形態において、第２指示情報は、第３ＣＣＡのインターバル情報を運び、第３ＣＣＡのインターバル情報は、第３ＣＣＡのＣＣＡタイプを示すために使用される。
【０１５５】
図７における基地局７００は、基地局によって実行される図１に示された免許不要帯域に基づく無線通信方法におけるステップを実行することができることが理解されるべきである。
【０１５６】
図８は、本発明の実施形態に従う端末デバイスの略構造図である。図８における端末デバイス８００は、
プログラムを記憶するよう構成されるメモリ８１０と、
メモリ８１０内のプログラムを実行するよう構成されるプロセッサ８２０であって、プログラムを実行する場合に、プロセッサ８２０が、免許不要帯域で基地局によって占有される第１キャリア及び第２キャリアを決定するよう構成され、基地局が、第１クリアチャネル評価ＣＣＡを使用することによって第１キャリアを占有し、且つ、第２ＣＣＡを使用することによって第２キャリアを占有し、第１ＣＣＡが、ランダムバックオフを有するＣＣＡであり、第２ＣＣＡが、シングルスロットＣＣＡである、プロセッサ８２０と、
第１指示情報を基地局から受けるよう構成され、第１指示情報が、端末デバイスに、第２キャリアで基地局へアップリンク情報を送るよう指示するために使用される、トランシーバ８３０であって、
トランシーバ８３０が、第１指示情報に基づき第２キャリアで基地局へアップリンク情報を送るよう更に構成される、トランシーバ８３０と
を含む。
【０１５７】
本発明のこの実施形態では、基地局は、シングルスロットＣＣＡを使用することによって占有されるキャリアも端末デバイスと共有してよく、それにより、端末デバイスは、そのキャリアでアップリンク情報を送ることもできる。従って、免許不要帯域リソースの利用は改善される。
【０１５８】
任意に、実施形態において、トランシーバ８３０は、第１最長キャリア占有時間ＭＣＯＴにおいて第２キャリアで基地局へアップリンク情報を送るよう特に構成され、第１ＭＣＯＴは、基地局が第１キャリアを占有することができる最長持続時間である。
【０１５９】
任意に、実施形態において、第１ＭＣＯＴは、第１ＣＣＡのコンテンションウィンドウ、及び／又は基地局によって行われる第１ＣＣＡに対応するダウンリンクサービスレベルに基づき、決定される。
【０１６０】
任意に、実施形態において、プロセッサ８２０は、第２キャリアに対して第３ＣＣＡを実行するよう構成され、トランシーバ８３０は、第３ＣＣＡが成功裏に実行される場合に、第２キャリアで基地局へアップリンク情報を送るよう特に構成される。
【０１６１】
任意に、実施形態において、トランシーバ８３０は、第２指示情報を基地局から受けるよう更に構成され、プロセッサ８２０は、第２指示情報に基づき第３ＣＣＡのＣＣＡタイプを決定するよう更に構成され、第３ＣＣＡのＣＣＡタイプは、ランダムバックオフを有するＣＣＡ、又はシングルスロットＣＣＡである。
【０１６２】
任意に、実施形態において、第２指示情報は、第３ＣＣＡのＣＣＡインターバル情報を含み、プロセッサ８２０は、第３ＣＣＡのＣＣＡインターバル、及びＣＣＡインターバルと候補ＣＣＡタイプとの間の対応に基づき、第３ＣＣＡのＣＣＡタイプを決定するよう特に構成され、候補ＣＣＡタイプは、ランダムバックオフを有するＣＣＡ、及びシングルスロットＣＣＡを含む。
【０１６３】
図８における端末デバイス８００は、端末デバイスによって実行される図２に示された免許不要帯域に基づく無線通信方法におけるステップを実行することができることが理解されるべきである。
【０１６４】
図９は、本発明の実施形態に従う端末デバイスの略構造図である。図９における端末デバイス９００は、
プログラムを記憶するよう構成されるメモリ９１０と、
メモリ９１０内のプログラムを実行するよう構成されるプロセッサ９２０であって、プログラムを実行する場合に、プロセッサ９２０が、免許不要帯域での第１キャリアのエネルギ検出閾値を、免許不要帯域での複数のキャリアのエネルギ検出閾値に基づき決定するよう構成され、
プロセッサ９２０が、第１キャリアのエネルギ検出閾値に基づき第１キャリアに対して第１ＣＣＡを実行するよう更に構成され、第１ＣＣＡがシングルスロットＣＣＡであり、
プロセッサ９２０が、複数のキャリアのエネルギ検出閾値に基づき複数のキャリアに対して第２ＣＣＡを別途実行するよう更に構成され、第２ＣＣＡがランダムバックオフを有するＣＣＡである、プロセッサ９２０と
を含む。
【０１６５】
本発明のこの実施形態では、端末デバイスが複数のキャリアでアップリンク情報を送る場合に、端末デバイスは、包括的に複数のキャリアのエネルギ検出閾値に基づき（複数のキャリアが、ランダムバックオフを有するＣＣＡを使用することによって占有されるキャリアである場合）、シングルスロットＣＣＡが実行されるべきであるキャリアのエネルギ検出閾値をより適切に決定することができる。
【０１６６】
任意に、実施形態において、プロセッサ９２０は、第１ＣＣＡ及び第２ＣＣＡを実行した結果に応じて、第１キャリア及び複数のキャリアでアップリンク情報を送るべきかどうかを判断するよう更に構成される。
【０１６７】
任意に、実施形態において、プロセッサ９２０は、第１キャリアのエネルギ検出閾値を、複数のキャリアの中の第２キャリアのエネルギ検出閾値に基づき決定するよう特に構成され、第２キャリアのエネルギ検出閾値は、複数のキャリアのエネルギ検出閾値の中で最小のエネルギ検出閾値である。
【０１６８】
任意に、実施形態において、プロセッサ９２０は、第１キャリアのエネルギ検出閾値が第２キャリアのエネルギ検出閾値以下であると決定するよう特に構成される。
【０１６９】
任意に、実施形態において、プロセッサ９２０は、第１キャリアのエネルギ検出閾値を、複数のキャリアの中の第３キャリアのエネルギ検出閾値に基づき決定するよう特に構成され、第３キャリアは、複数のキャリアの中で最大又は最小のインデックス数を有しているキャリアである。
【０１７０】
任意に、実施形態において、プロセッサ９２０は、第１キャリアのエネルギ検出閾値が第３キャリアのエネルギ検出閾値以下であると決定するよう特に構成される。
【０１７１】
図９における端末デバイス９００は、端末デバイスによって実行される図３に示された免許不要帯域に基づく無線通信方法におけるステップを実行することができることが理解されるべきである。
【０１７２】
当業者は、本明細書で開示される実施形態において記載される例と組み合わせて、ユニット及びアルゴリズムステップが電子ハードウェア又はコンピュータソフトウェアと電子ハードウェアとの組み合わせによって実装されてよいと承知し得る。機能がハードウェア又はソフトウェアによって実行されるかどうかは、技術的解決法の設計制約条件及び特定の用途に依存する。当業者は、夫々の特定の用途について、記載されている機能を実装するよう異なる方法を使用してよいが、実施は、本発明の適用範囲を越えると考えられるべきではない。
【０１７３】
記載の簡潔さ及び便宜のために、上記のシステム、装置、及びユニットの詳細な動作プロセスについては、上記の方法の実施形態における対応するプロセスが参照されてよく、詳細はここで再び記載されないことが当業者によって明らかに理解され得る。
【０１７４】
本願で提供される実施形態において、開示されるシステム、装置、及び方法は、他の様態で実装されてよいことが理解されるべきである。例えば、記載される装置の実施形態は、単に一例にすぎない。例えば、ユニット分割は、単に論理的な機能分割にすぎず、実際の実施では他の分割であってもよい。例えば、複数のユニット又はコンポーネントは、他のシステムへと結合又は一体化されてよく、あるいは、いくつかの機能は、無視されるか又は実行されなくてよい。その上、図示及び説明される相互結合又は直接結合若しくは通信接続は、何らかのインターフェイスを使用することによって実装されてよい。装置又はユニット間の間接的な結合又は通信接続は、電気的な、機械的な、又は他の形態で実装されてよい。
【０１７５】
別個の部分として記載されるユニットは、物理的に別個であっても又はなくてもよく、ユニットとして示される部分は、物理的なユニットであっても又はなくてもよく、１つの位置に置かれてもよく、あるいは、複数のネットワークユニットにおいて分散されてもよい。ユニットの一部又は全部は、実施形態の解決法の目的を達成するよう、実際の要件に応じて選択されてよい。
【０１７６】
その上、本発明の実施形態における機能ユニットは、１つの処理ユニットに一体化されてよく、あるいは、ユニットの夫々は、物理的に単独で存在してよく、あるいは、少なくとも２つのユニットは、１つのユニットに一体化されてよい。
【０１７７】
機能がソフトウェア機能ユニットの形で実装され、独立した製品として販売又は使用される場合に、機能はコンピュータ可読媒体に記憶されてもよい。斯様な理解に基づき、本質的には本発明の技術的解決法は、又は先行技術に寄与する部分、若しくは技術的解決法の一部は、ソフトウェア製品の形で実装されてよい。コンピュータソフトウェア製品は記憶媒体に記憶され、コンピュータ装置（パーソナル・コンピュータ、サーバ、ネットワーク装置、又は同様のものであってよい。）に、本発明の実施形態において記載される方法のステップの全部又は一部を実行するよう指示するいくつかの命令を含む。上記の記憶媒体は、ＵＳＢフラッシュドライブ、リムーバブル・ハード・ディスク、リード・オンリー・メモリ（ＲＯＭ，Read-Only  Memory）、ランダム・アクセス・メモリ（ＲＡＭ，Random  Access  Memory）、磁気ディスク、又は光ディスクのような、プログラムコードを記憶することができる如何なる媒体も含む。
【０１７８】
上記の説明は、単に本発明の具体的な実施にすぎず、本発明の保護範囲を制限するよう意図されない。本発明で開示される技術的範囲内で当業者によって容易に考え付かれる如何なる変形又は置換も、本発明の保護範囲内にあるべきである。従って、本発明の保護範囲は、特許請求の範囲の保護範囲に従うべきである。
【図１】
2019528013.tif 000003
【図２】
2019528013.tif 000004
【図３】
2019528013.tif 000005
【図４】
2019528013.tif 000006
【図５】
2019528013.tif 000007
【図６】
2019528013.tif 000008
【図７】
2019528013.tif 000009
【図８】
2019528013.tif 000010
【図９】
2019528013.tif 000011
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
免許不要帯域に基づく無線通信方法であって、
基地局によって、第１クリアチャネル評価（ＣＣＡ）を使用することで免許不要帯域で第１キャリアを占有し、前記第１ＣＣＡはランダムバックオフを有するＣＣＡである、ことと、
前記基地局によって、第２ＣＣＡを使用することで前記免許不要帯域で第２キャリアを占有し、前記第２ＣＣＡはシングルスロットＣＣＡである、ことと、
前記基地局によって、第１指示情報を端末デバイスへ送り、前記第１指示情報は、前記端末デバイスに、前記第２キャリアで前記基地局へアップリンク情報を送るよう指示するために使用される、ことと、
前記基地局によって、前記第２キャリアで前記端末デバイスからの前記アップリンク情報を受けることと
を有する方法。
【請求項２】
前記アップリンク情報は、第２最長チャネル占有時間（ＭＣＯＴ）において前記第２キャリアで前記基地局へ送られ、
前記第２ＭＣＯＴは、第１ＭＣＯＴと等しく、
前記第１ＭＣＯＴは、前記基地局が前記第１キャリアを占有することができる最長持続時間であり、
前記第２ＭＣＯＴは、前記基地局が前記第２キャリアを占有することができる最長持続時間である、
請求項１に記載の方法。
【請求項３】
前記第１ＭＣＯＴは、前記第１ＣＣＡのコンテンションウィンドウ、及び／又は前記基地局によって行われる前記第１ＣＣＡに対応するダウンリンクサービスレベルに基づき、決定される、
請求項２に記載の方法。
【請求項４】
当該方法は、
前記基地局によって、第２指示情報を前記端末デバイスへ送り、前記第２指示情報は、前記端末デバイスが前記アップリンク情報を送る前に前記第２キャリアに対して前記端末デバイスによって行われる第３ＣＣＡのＣＣＡタイプを示すために使用され、前記第３ＣＣＡの前記ＣＣＡタイプはシングルスロットＣＣＡである、こと
を更に有する、
請求項１乃至３のうちいずれか一項に記載の方法。
【請求項５】
前記第２指示情報は、前記第３ＣＣＡのインターバル情報を運び、
前記第３ＣＣＡの前記インターバル情報は、前記第３ＣＣＡの前記ＣＣＡタイプを示すために使用される、
請求項４に記載の方法。
【請求項６】
免許不要帯域に基づく無線通信方法であって、
端末デバイスによって、免許不要帯域で基地局によって占有される第１キャリア及び第２キャリアを決定し、前記基地局は、第１クリアチャネル評価（ＣＣＡ）を使用することで前記第１キャリアを占有し且つ第２ＣＣＡを使用することで前記第２キャリアを占有し、前記第１ＣＣＡはランダムバックオフを有するＣＣＡであり、前記第２ＣＣＡはシングルスロットＣＣＡである、ことと、
前記端末デバイスによって、前記基地局から第１指示情報を受け、前記第１指示情報は、前記端末デバイスに、前記第２キャリアで前記基地局へアップリンク情報を送るよう指示するために使用される、ことと、
前記端末デバイスによって、前記第１指示情報に基づき前記第２キャリアで前記基地局へ前記アップリンク情報を送ることと
を有する方法。
【請求項７】
前記端末デバイスによって、前記第１指示情報に基づき前記第２キャリアで前記基地局へ前記アップリンク情報を送ることは、
前記端末デバイスによって、第２最長チャネル占有時間（ＭＣＯＴ）において前記第２キャリアで前記基地局へ前記アップリンク情報を送り、前記第２ＭＣＯＴは第１ＭＣＯＴと等しく、前記第１ＭＣＯＴは、前記基地局が前記第１キャリアを占有することができる最長持続時間であり、前記第２ＭＣＯＴは、前記基地局が前記第２キャリアを占有することができる最長持続時間である、こと
を有する、
請求項６に記載の方法。
【請求項８】
前記第１ＭＣＯＴは、前記第１ＣＣＡのコンテンションウィンドウ、及び／又は前記基地局によって行われる前記第１ＣＣＡに対応するダウンリンクサービスレベルに基づき、決定される、
請求項７に記載の方法。
【請求項９】
前記端末デバイスによって、前記第１指示情報に基づき前記第２キャリアで前記基地局へ前記アップリンク情報を送ることより前に、当該方法は、
前記端末デバイスによって、前記第２キャリアに対して第３ＣＣＡを実行すること
を更に有し、
前記端末デバイスによって、前記第１指示情報に基づき前記第２キャリアで前記基地局へ前記アップリンク情報を送ることは、
前記第３ＣＣＡが成功裏に実行される場合に、前記端末デバイスによって、前記第２キャリアで前記基地局へ前記アップリンク情報を送ること
を有する、
請求項６乃至８のうちいずれか一項に記載の方法。
【請求項１０】
当該方法は、
前記端末デバイスによって、前記基地局から第２指示情報を受けることと、
前記端末デバイスによって、前記第２指示情報に基づき前記第３ＣＣＡのＣＣＡタイプを決定し、前記第３ＣＣＡの前記ＣＣＡタイプはシングルスロットＣＣＡである、ことと
を更に有する、
請求項９に記載の方法。
【請求項１１】
前記第２指示情報は、前記第３ＣＣＡのＣＣＡインターバル情報を有し、
前記端末デバイスによって、前記第２指示情報に基づき前記第３ＣＣＡのＣＣＡタイプを決定することは、
前記端末デバイスによって、前記第３ＣＣＡのＣＣＡインターバル及びＣＣＡインターバルと候補ＣＣＡタイプとの間の対応に基づき前記第３ＣＣＡの前記ＣＣＡタイプを決定することを有し、
前記候補ＣＣＡタイプは、前記ランダムバックオフを有するＣＣＡ及び前記シングルスロットＣＣＡを有する、
請求項１０に記載の方法。
【請求項１２】
基地局であって、
第１クリアチャネル評価（ＣＣＡ）を使用することで免許不要帯域で第１キャリアを占有するよう構成され、前記第１ＣＣＡはランダムバックオフを有するＣＣＡである、処理モジュールであり、該処理モジュールは、第２ＣＣＡを使用することで前記免許不要帯域で第２キャリアを占有するよう更に構成され、前記第２ＣＣＡはシングルスロットＣＣＡである、前記処理モジュールと、
第１指示情報を端末デバイスへ送るよう構成され、前記第１指示情報は、前記端末デバイスに、前記第２キャリアで当該基地局へアップリンク情報を送るよう指示するために使用される、送信モジュールと、
前記第２キャリアで前記端末デバイスからの前記アップリンク情報を受けるよう構成される受信モジュールと
を有する基地局。
【請求項１３】
前記アップリンク情報は、第２最長チャネル占有時間（ＭＣＯＴ）において前記第２キャリアで当該基地局へ送られ、
前記第２ＭＣＯＴは、第１ＭＣＯＴと等しく、
前記第１ＭＣＯＴは、当該基地局が前記第１キャリアを占有することができる最長持続時間であり、
前記第２ＭＣＯＴは、当該基地局が前記第２キャリアを占有することができる最長持続時間である、
請求項１２に記載の基地局。
【請求項１４】
前記第１ＭＣＯＴは、前記第１ＣＣＡのコンテンションウィンドウ、及び／又は当該基地局によって行われる前記第１ＣＣＡに対応するダウンリンクサービスレベルに基づき、決定される、
請求項１３に記載の基地局。
【請求項１５】
前記送信モジュールは、第２指示情報を前記端末デバイスへ送るよう更に構成され、前記第２指示情報は、前記端末デバイスが前記アップリンク情報を送る前に前記第２キャリアに対して前記端末デバイスによって行われる第３ＣＣＡのＣＣＡタイプを示すために使用され、前記第３ＣＣＡの前記ＣＣＡタイプはシングルスロットＣＣＡである、
請求項１２乃至１４のうちいずれか一項に記載の基地局。
【請求項１６】
前記第２指示情報は、前記第３ＣＣＡのインターバル情報を運び、
前記第３ＣＣＡの前記インターバル情報は、前記第３ＣＣＡの前記ＣＣＡタイプを示すために使用される、
請求項１５に記載の基地局。
【請求項１７】
端末デバイスであって、
免許不要帯域で基地局によって占有される第１キャリア及び第２キャリアを決定するよう構成され、前記基地局は、第１クリアチャネル評価（ＣＣＡ）を使用することで前記第１キャリアを占有し且つ第２ＣＣＡを使用することで前記第２キャリアを占有し、前記第１ＣＣＡはランダムバックオフを有するＣＣＡであり、前記第２ＣＣＡはシングルスロットＣＣＡである、決定モジュールと、
前記基地局から第１指示情報を受けるよう構成され、前記第１指示情報は、当該端末デバイスに、前記第２キャリアで前記基地局へアップリンク情報を送るよう指示するために使用される、受信モジュールと、
前記第１指示情報に基づき前記第２キャリアで前記基地局へ前記アップリンク情報を送るよう構成される送信モジュールと
を有する端末デバイス。
【請求項１８】
前記送信モジュールは、第２最長チャネル占有時間（ＭＣＯＴ）において前記第２キャリアで前記基地局へ前記アップリンク情報を送るよう特に構成され、前記第２ＭＣＯＴは、第１ＭＣＯＴと等しく、前記第１ＭＣＯＴは、前記基地局が前記第１キャリアを占有することができる最長持続時間であり、前記第２ＭＣＯＴは、前記基地局が前記第２キャリアを占有することができる最長持続時間である、
請求項１７に記載の端末デバイス。
【請求項１９】
前記第１ＭＣＯＴは、前記第１ＣＣＡのコンテンションウィンドウ、及び／又は前記基地局によって行われる前記第１ＣＣＡに対応するダウンリンクサービスレベルに基づき、決定される、
請求項１８に記載の端末デバイス。
【請求項２０】
当該端末デバイスは、前記第２キャリアに対して第３ＣＣＡを実行するよう構成される検出モジュールを更に有し、
前記送信モジュールは、前記第３ＣＣＡが成功裏に実行される場合に、前記第２キャリアで前記基地局へ前記アップリンク情報を送るよう特に構成される、
請求項１７乃至１９のうちいずれか一項に記載の端末デバイス。
【請求項２１】
前記受信モジュールは、前記基地局から第２指示情報を受けるよう更に構成され、
前記決定モジュールは、前記第２指示情報に基づき前記第３ＣＣＡのＣＣＡタイプを決定するよう更に構成され、前記第３ＣＣＡの前記ＣＣＡタイプはシングルスロットＣＣＡである、
請求項２０に記載の端末デバイス。
【請求項２２】
前記第２指示情報は、前記第３ＣＣＡのＣＣＡインターバル情報を有し、
前記決定モジュールは、前記第３ＣＣＡのＣＣＡインターバル及びＣＣＡインターバルと候補ＣＣＡタイプとの間の対応に基づき前記第３ＣＣＡの前記ＣＣＡタイプを決定するよう特に構成され、
前記候補ＣＣＡタイプは、前記ランダムバックオフを有するＣＣＡ及び前記シングルスロットＣＣＡを有する、
請求項２１に記載の端末デバイス。
【請求項２３】
コンピュータによって実行される場合に、該コンピュータに、請求項１乃至５のうちいずれか一項に記載の方法を実行させるプログラム。
【請求項２４】
コンピュータによって実行される場合に、該コンピュータに、請求項６乃至１１のうちいずれか一項に記載の方法を実行させるプログラム。
【手続補正２】
【補正対象書類名】明細書
【補正対象項目名】０００２
【補正方法】変更
【補正の内容】
【０００２】
第３世代パートナーシップ・プロジェクト（3rd  Generation  Partnership  Project，３ＧＰＰ）は、ＬＴＥ（Long  Term  Evolution，ＬＴＥ）を使用したライセンス支援アクセス（licensed-assisted  access  using  LTE，ＬＡＡ−ＬＴＥ）技術においてリッスン・ビフォア・トーク（listen  before  talk，ＬＢＴ）メカニズムを導入しており、それにより、ＬＴＥデバイス及びワイヤレス・フィデリティ（Wireless  Fidelity，Ｗｉ−Ｆｉ）は、免許不要帯域でリソースを公平に争うことができる。リッスン・ビフォア・トークメカニズムは、免許不要帯域でＬＴＥデバイスによって遊休チャネルを検知及び検出するために使用される。
【手続補正３】
【補正対象書類名】明細書
【補正対象項目名】０００３
【補正方法】変更
【補正の内容】
【０００３】
先行技術では、基地局は、ランダムバックオフを有するクリアチャネル評価（clear  channel  assessment，ＣＣＡ）を使用することによってキャリアを評価し、ＣＣＡが成功裏に実行される場合に、基地局は、そのキャリアを使用することによって、最長チャネル占有時間（maximum  channel  occupancy  time，ＭＣＯＴ）（又は最長キャリア占有時間とも呼ばれる。）において端末デバイスへダウンリンク情報を送ってよい。その上、基地局は更に、ＭＣＯＴの一部を端末デバイスと共有してよく、それにより、端末デバイスは、シングルスロットＣＣＡを使用することによってキャリアを検出し、そのキャリアでアップリンク情報を送信することができる。このように、端末デバイスは、キャリアを使用することによって基地局へアップリンク情報を送ることができる。先行技術では、基地局は、端末デバイスによってアップリンクデータを送るために端末デバイスと、ランダムバックオフを有するＣＣＡが実行されるキャリアのみを、他のカテゴリのキャリアを共有せずに、共有することができる。そのため、キャリア利用は制限される。
【手続補正４】
【補正対象書類名】明細書
【補正対象項目名】０００５
【補正方法】変更
【補正の内容】
【０００５】
第１の態様に従って、免許不要帯域に基づく無線通信方法であって、基地局によって、第１クリアチャネル評価（ＣＣＡ）を使用することで免許不要帯域で第１キャリアを占有し、前記第１ＣＣＡはランダムバックオフを有するＣＣＡである、ことと、前記基地局によって、第２ＣＣＡを使用することで前記免許不要帯域で第２キャリアを占有し、前記第２ＣＣＡはシングルスロットＣＣＡである、ことと、前記基地局によって、第１指示情報を端末デバイスへ送り、前記第１指示情報は、前記端末デバイスに、前記第２キャリアで前記基地局へアップリンク情報を送るよう指示するために使用される、ことと、前記基地局によって、前記第２キャリアで前記端末デバイスからの前記アップリンク情報を受けることとを含む方法が提供される。
【手続補正５】
【補正対象書類名】明細書
【補正対象項目名】０００７
【補正方法】変更
【補正の内容】
【０００７】
第１の態様を参照して、第１の態様の第１の実施において、前記第１指示情報は、前記端末デバイスに、第１最長チャネル占有時間（ＭＣＯＴ）において前記第２キャリアで前記基地局へ前記アップリンク情報を送るように指示するために特に使用され、前記第１ＭＣＯＴは、前記基地局が前記第１キャリアを占有することができる最長持続時間である。
【手続補正６】
【補正対象書類名】明細書
【補正対象項目名】００１０
【補正方法】変更
【補正の内容】
【００１０】
一般に、基地局が第１ＣＣＡを使用することによって第１キャリアを占有することは比較的難しいので、第１ＭＣＯＴは通常は相対的に長い。従って、端末デバイスは、第１ＭＣＯＴにおいて第２キャリアで基地局へアップリンク情報を送るために更に多くの時間を有することができ、それにより、端末デバイスは、アップリンク情報をより良く送ることができる。
【手続補正７】
【補正対象書類名】明細書
【補正対象項目名】００１６
【補正方法】変更
【補正の内容】
【００１６】
第２の態様に従って、免許不要帯域に基づく無線通信方法であって、端末デバイスによって、免許不要帯域で基地局によって占有される第１キャリア及び第２キャリアを決定し、前記基地局は、第１クリアチャネル評価（ＣＣＡ）を使用することで前記第１キャリアを占有し且つ第２ＣＣＡを使用することで前記第２キャリアを占有し、前記第１ＣＣＡはランダムバックオフを有するＣＣＡであり、前記第２ＣＣＡはシングルスロットＣＣＡである、ことと、前記端末デバイスによって、前記基地局から第１指示情報を受け、前記第１指示情報は、前記端末デバイスに、前記第２キャリアで前記基地局へアップリンク情報を送るよう指示するために使用される、ことと、前記端末デバイスによって、前記第１指示情報に基づき前記第２キャリアで前記基地局へ前記アップリンク情報を送ることとを含む方法が提供される。
【手続補正８】
【補正対象書類名】明細書
【補正対象項目名】００１８
【補正方法】変更
【補正の内容】
【００１８】
第２の態様を参照して、第２の態様の第１の実施において、前記端末デバイスによって、前記第１指示情報に基づき前記第２キャリアで前記基地局へ前記アップリンク情報を送ることは、前記端末デバイスによって、第１最長チャネル占有時間（ＭＣＯＴ）において前記第２キャリアで前記基地局へ前記アップリンク情報を送り、前記第１ＭＣＯＴは、前記基地局が前記第１キャリアを占有することができる最長持続時間である、ことを含む。
【手続補正９】
【補正対象書類名】明細書
【補正対象項目名】００２０
【補正方法】変更
【補正の内容】
【００２０】
第２の態様並びに第２の態様の第１及び第２の実施のうちのいずれか１つを参照して、第２の態様の第３の実施において、前記端末デバイスによって、前記第１指示情報に基づき前記第２キャリアで前記基地局へ前記アップリンク情報を送ることより前に、当該方法は、前記端末デバイスによって、前記第２キャリアに対して第３ＣＣＡを実行することを更に含み、前記端末デバイスによって、前記第１指示情報に基づき前記第２キャリアで前記基地局へ前記アップリンク情報を送ることは、前記第３ＣＣＡが成功裏に実行される場合に、前記端末デバイスによって、前記第２キャリアで前記基地局へ前記アップリンク情報を送ることを含む。
【手続補正１０】
【補正対象書類名】明細書
【補正対象項目名】００２１
【補正方法】変更
【補正の内容】
【００２１】
第２の態様の第３の実施を参照して、第２の態様の第４の実施において、当該方法は、前記端末デバイスによって、前記基地局から第２指示情報を受けることと、前記端末デバイスによって、前記第２指示情報に基づき前記第３ＣＣＡのＣＣＡタイプを決定し、前記第３ＣＣＡの前記ＣＣＡタイプはランダムバックオフを有するＣＣＡ又はシングルスロットＣＣＡである、こととを更に含む。
【手続補正１１】
【補正対象書類名】明細書
【補正対象項目名】００５１
【補正方法】変更
【補正の内容】
【００５１】
本発明の技術的解決法は、グローバル・システム・フォー・モバイル・コミュニケーションズ（Global  System  for  Mobile  communications，ＧＳＭ）、符号分割多重アクセス（Code  Division  Multiple  Access，ＣＤＭＡ）システム、広帯域符号分割多重アクセス（Wideband  Code  Division  Multiple  Access，ＷＣＤＭＡ）システム、汎用パケット無線サービス（general  packet  radio  service，ＧＰＲＳ）システム、ロング・ターム・エボリューション（Long  Term  Evolution，ＬＴＥ）システム、ロング・ターム・エボリューション・アドバンスド（Long  Term  Evolution  Advanced，ＬＴＥ−Ａ）システム、ユニバーサル移動体通信システム（Universal  Mobile  Telecommunications  System，ＵＭＴＳ）、及び５Ｇシステムのような、様々な通信システムに適用されてよいことが理解されるべきである。
【手続補正１２】
【補正対象書類名】明細書
【補正対象項目名】００５２
【補正方法】変更
【補正の内容】
【００５２】
本発明の実施形態における端末デバイスは、ユーザ機器（user  equipment，ＵＥ）、アクセス端末、加入者ユニット、加入者局、移動局、モバイルコンソール、遠隔局、遠隔端末、モバイル機器、ユーザ端末、端末、無線通信デバイス、ユーザエージェント、ユーザ装置、又は同様のものであってもよい。アクセス端末は、携帯電話機、コードレス電話機、セッション開始プロトコル（Session  Initiation  Protocol，ＳＩＰ）電話機、無線ローカルループ（wireless  local  loop，ＷＬＬ）局、パーソナル・デジタル・アシスタント（personal  digital  assistant，ＰＤＡ）、無線通信機能を備えた携帯機器、コンピュータ装置、無線モデムに接続された他の処理装置、車載機器、ウェラブル機器、将来の５Ｇネットワーク内の端末デバイス、将来の進化した公衆陸上移動網（public  land  mobile  network，ＰＬＭＮ）内の端末デバイス、又は同様のものであってよい。これは、本発明の実施形態において制限されない。
【手続補正１３】
【補正対象書類名】明細書
【補正対象項目名】００５３
【補正方法】変更
【補正の内容】
【００５３】
本発明の実施形態において、基地局は、ＧＳＭ又はＣＤＭＡにおけるトランシーバ基地局（base  transceiver  station、ＢＴＳ）であってよく、あるいは、ＷＣＤＭＡにおけるノードＢ（NodeB）であってよく、あるいは、ＬＴＥにおけるエボルブド・ノードＢ（evolved  NodeB，ｅＮＢ又はｅ−ＮｏｄｅＢ）であってよく、あるいは、５Ｇシステムにおいてアクセスサービスを提供するアクセスポイントであってよい。これは、本発明の実施形態において制限されない。
【手続補正１４】
【補正対象書類名】明細書
【補正対象項目名】００６０
【補正方法】変更
【補正の内容】
【００６０】
第２キャリアを占有することより前に、基地局は、第２ＣＣＡを使用することによって第２キャリアを評価する。具体的に、第２キャリアが遊休状態であると基地局が検出することを条件として、基地局は、ランダムバックオフを有するＣＣＡのためのバックオフ処理なしで、第２キャリアで情報を送ることができる。その上、シングルスロットＣＣＡのスロット長の値は、前もって定義されてよく、あるいは、基地局によって設定されてよく、あるいは、特定のルールに従ってセットされてよい。シングルスロットＣＣＡの比較的よく見られるスロット長は、１６マイクロ秒又は２５マイクロ秒である。
【手続補正１５】
【補正対象書類名】明細書
【補正対象項目名】００６８
【補正方法】変更
【補正の内容】
【００６８】
category  3：キャリアに対して検出を実行する場合に、ノードは、固定長さを有するコンテンションウィンドウをセットし、コンテンションウィンドウにおいてランダムバックオフカウンタをランダムに選択する。キャリアが遊休状態である場合に、バックオフカウンタのカウント値は１だけ減らされ、あるいは、キャリアが遊休状態でない場合には、バックオフカウンタのカウント値は変化しないままである。斯様なプロセスは、バックオフカウンタの値が０に減らされるまで循環的に実行される。ノードは、この場合にそのキャリアで情報を送ることができる。category  3とcategory  4との間の違いは、コンテンションウィンドウの長さがcategory  3の場合に固定である点である。
【手続補正１６】
【補正対象書類名】明細書
【補正対象項目名】００７３
【補正方法】変更
【補正の内容】
【００７３】
任意に、実施形態において、第１指示情報を受けた後、端末デバイスは最初に、第２キャリアに対して第３ＣＣＡを実行し、第３ＣＣＡが成功裏に実行される場合に第２キャリアで基地局へアップリンク情報を送る。
【手続補正１７】
【補正対象書類名】明細書
【補正対象項目名】００７９
【補正方法】変更
【補正の内容】
【００７９】
端末デバイスは、第１ＭＣＯＴ又は第２ＭＣＯＴにおいて第２キャリアで基地局へアップリンク情報を送ってよい。ここで、第２ＭＣＯＴは、基地局が第２キャリアを占有することができる最長持続時間である。第１ＭＣＯＴと同様に、第２ＭＣＯＴも、第２ＣＣＡのコンテンションウィンドウ、及び／又は基地局によって行われる第２ＣＣＡに対応するダウンリンクサービスレベルに基づき、決定されてよい。
【手続補正１８】
【補正対象書類名】明細書
【補正対象項目名】００８０
【補正方法】変更
【補正の内容】
【００８０】
端末デバイスが第１ＭＣＯＴ又は第２ＭＣＯＴにおいて第２キャリアで基地局へアップリンク情報を送るとは、端末デバイスが第１ＭＣＯＴ又は第２ＭＣＯＴにおける基地局の占有時間以外の残り時間においてアップリンク情報を送ることを意味することが理解されるべきである。例えば、第１ＭＣＯＴが１０ｍｓであり、基地局が実際に第１キャリアを占有する時間が４ｍｓである場合には、端末デバイスは、６ｍｓの残り時間において第２キャリアを占有し、第２キャリアで基地局へアップリンク情報を送ってよく、あるいは、第２ＭＣＯＴが６ｍｓであり、基地局が実際に第２キャリアを占有する時間が４ｍｓである場合には、端末デバイスは、２ｍｓの残り時間において第２キャリアを占有し、第２キャリアで基地局へアップリンク情報を送ってよい。一般に、第１ＣＣＡを使用することによってキャリアを占有する方が難しく、キャリアが先取りされると、より長い占有時間が割り当てられ、且つ、第２キャリアを使用することによってキャリアを占有することは容易であり、キャリアを占有する時間はより短いので、第１ＭＣＯＴは第２ＭＣＯＴよりも長い。従って、端末デバイスが第１ＭＣＯＴにおいて基地局へアップリンク情報を送る場合に、端末デバイスがアップリンク情報を送るために第２キャリアを占有することができる時間は、より長い。従って、本発明のこの実施形態では、端末デバイスは、第１ＭＣＯＴ又は第２ＭＣＯＴにおいて基地局へアップリンク情報を送ってよく、そのため、第１キャリアを使用することによって端末デバイスによってアップリンク情報を送る柔軟性は、改善される。
【手続補正１９】
【補正対象書類名】明細書
【補正対象項目名】００８６
【補正方法】変更
【補正の内容】
【００８６】
第２指示情報を受けた後、端末デバイスは、第３ＣＣＡのＣＣＡインターバル、及びＣＣＡインターバルと候補ＣＣＡタイプとの間の対応に基づき、第３ＣＣＡのＣＣＡタイプを決定してよい。候補ＣＣＡタイプは、ランダムバックオフを有するＣＣＡ、及びシングルスロットＣＣＡを含む。
【手続補正２０】
【補正対象書類名】明細書
【補正対象項目名】００８７
【補正方法】変更
【補正の内容】
【００８７】
第２指示情報における第３ＣＣＡのＣＣＡインターバル情報はＣＣＡタイプを間接的に示し、ＣＣＡインターバル情報を受けた後、端末デバイスは、最初にＣＣＡインターバル情報に基づき第３ＣＣＡのＣＣＡタイプを決定し、次いで、第２キャリアに対して第３ＣＣＡを実行する必要があることが理解されるべきである。例えば、第１ＣＣＡインターバルは、ランダムバックオフを有するＣＣＡに対応し、第２ＣＣＡインターバルは、シングルスロットＣＣＡに対応する。ＣＣＡインターバル情報が第１ＣＣＡインターバル情報を運ぶ場合に、端末デバイスは、第３ＣＣＡがランダムバックオフを有するＣＣＡであると決定し、あるいは、ＣＣＡインターバル情報が第２ＣＣＡインターバル情報を運ぶ場合に、端末デバイスは、第３ＣＣＡがシングルスロットＣＣＡであると決定する。
【手続補正２１】
【補正対象書類名】明細書
【補正対象項目名】００９２
【補正方法】変更
【補正の内容】
【００９２】
場合３：基地局がダウンリンク情報を送る時間と、端末デバイスがアップリンク情報を送る時間との和が第１ＭＣＯＴ又は第２ＭＣＯＴの範囲内にあるかどうかにかかわらず、端末デバイスは、category  4のＣＣＡしか実行することができない。
【手続補正２２】
【補正対象書類名】明細書
【補正対象項目名】００９５
【補正方法】変更
【補正の内容】
【００９５】
２１０．端末デバイスは、免許不要帯域で基地局によって占有される第１キャリア及び第２キャリアを決定する。ここで、基地局は、第１クリアチャネル評価（ＣＣＡ）を使用することによって第１キャリアを占有し、且つ、第２ＣＣＡを使用することによって第２キャリアを占有する。第１ＣＣＡは、ランダムバックオフを有するＣＣＡであり、第２ＣＣＡは、シングルスロットＣＣＡである。
【手続補正２３】
【補正対象書類名】明細書
【補正対象項目名】００９９
【補正方法】変更
【補正の内容】
【００９９】
任意に、実施形態において、端末デバイスによって、第１指示情報に基づき第２キャリアで基地局へアップリンク情報を送ることは、端末デバイスによって、第１最長チャネル占有時間（ＭＣＯＴ）において第２キャリアで基地局へアップリンク情報を送ることを含む。ここで、第１ＭＣＯＴは、基地局が第１キャリアを占有することができる最長持続時間である。
【手続補正２４】
【補正対象書類名】明細書
【補正対象項目名】０１０１
【補正方法】変更
【補正の内容】
【０１０１】
任意に、実施形態において、端末デバイスによって第１指示情報に基づき第２キャリアで基地局へアップリンク情報を送ることより前に、方法は、端末デバイスによって、第２キャリアに対して第３ＣＣＡを実行することを更に含む。端末デバイスによって第１指示情報に基づき第２キャリアで基地局へアップリンク情報を送ることは、第３ＣＣＡが成功裏に実行される場合に、端末デバイスによって、第２キャリアで基地局へアップリンク情報を送ることを含む。
【手続補正２５】
【補正対象書類名】明細書
【補正対象項目名】０１０５
【補正方法】変更
【補正の内容】
【０１０５】
先行技術では、基地局が、複数のキャリアに対してＣＣＡ検出を実行し、且つ、ランダムバックオフを有するＣＣＡを使用することによって第１キャリアに対して検出を実行し、そして、第１キャリアに対して実行される検出のためのエネルギ検出閾値が第１エネルギ検出閾値である場合に、基地局が他のキャリアに対してＣＣＡ検出を実行するときに使用されるエネルギ検出閾値も、第１エネルギ検出閾値にセットされる。すなわち、エネルギ検出閾値は、第１キャリアに対して実行される検出のためのエネルギ検出閾値と一致する。しかし、この方法は十分に柔軟ではなく、複数のキャリアの性能は徹底的には検討されず、端末デバイスがアップリンク情報を送る前にキャリアに対して実行されるＣＣＡ検出のためのエネルギ検出閾値は特定されていない。従って、新しい方法は、端末デバイスが基地局によって占有されるキャリアを共有しアップリンク情報を送る前に、キャリアに対して行われるＣＣＡのためのエネルギ検出閾値を決定することを求められる。図３を参照して、以下は、本発明の実施形態における免許不要帯域に基づく無線通信方法について詳細に記載する。
【手続補正２６】
【補正対象書類名】明細書
【補正対象項目名】０１２６
【補正方法】変更
【補正の内容】
【０１２６】
図４は、本発明の実施形態に従う基地局の略構造図である。図４における基地局４００は、
第１クリアチャネル評価（ＣＣＡ）を使用することによって免許不要帯域で第１キャリアを占有するよう構成され、第１ＣＣＡがランダムバックオフを有するＣＣＡである、処理モジュール４１０であり、
処理モジュール４１０が、第２ＣＣＡを使用することによって免許不要帯域で第２キャリアを占有するよう更に構成され、第２ＣＣＡがシングルスロットＣＣＡである、処理モジュール４１０と、
第１指示情報を端末デバイスへ送るよう構成され、第１指示情報が、端末デバイスに、第２キャリアで基地局へアップリンク情報を送るよう指示するために使用される、送信モジュール４２０と、
第２キャリアで端末デバイスからのアップリンク情報を受けるよう構成される受信モジュール４３０と
を含む。
【手続補正２７】
【補正対象書類名】明細書
【補正対象項目名】０１２８
【補正方法】変更
【補正の内容】
【０１２８】
任意に、実施形態において、第１指示情報は、端末デバイスに、第１最長チャネル占有時間（ＭＣＯＴ）において第２キャリアで基地局へアップリンク情報を送るよう指示するために特に使用され、第１ＭＣＯＴは、基地局が第１キャリアを占有することができる最長持続時間である。
【手続補正２８】
【補正対象書類名】明細書
【補正対象項目名】０１３３
【補正方法】変更
【補正の内容】
【０１３３】
図５は、本発明の実施形態に従う端末デバイスの略構造図である。図５における端末デバイス５００は、
免許不要帯域で基地局によって占有される第１キャリア及び第２キャリアを決定するよう構成され、基地局が、第１クリアチャネル評価（ＣＣＡ）を使用することによって第１キャリアを占有し、且つ、第２ＣＣＡを使用することによって第２キャリアを占有し、第１ＣＣＡが、ランダムバックオフを有するＣＣＡであり、第２ＣＣＡが、シングルスロットＣＣＡである、決定モジュール５１０と、
第１指示情報を基地局から受けるよう構成され、第１指示情報が、端末デバイスに、第２キャリアで基地局へアップリンク情報を送るよう指示するために使用される、受信モジュール５２０と、
第１指示情報に基づき第２キャリアで基地局へアップリンク情報を送るよう構成される送信モジュール５３０と
を含む。
【手続補正２９】
【補正対象書類名】明細書
【補正対象項目名】０１３５
【補正方法】変更
【補正の内容】
【０１３５】
任意に、実施形態において、送信モジュール５３０は、第１最長チャネル占有時間（ＭＣＯＴ）において第２キャリアで基地局へアップリンク情報を送るよう特に構成され、第１ＭＣＯＴは、基地局が第１キャリアを占有することができる最長持続時間である。
【手続補正３０】
【補正対象書類名】明細書
【補正対象項目名】０１４９
【補正方法】変更
【補正の内容】
【０１４９】
図７は、本発明の実施形態に従う基地局の略構造図である。図７における基地局７００は、
プログラムを記憶するよう構成されるメモリ７１０と、
メモリ７１０内のプログラムを実行するよう構成されるプロセッサ７２０であって、プログラムを実行する場合に、プロセッサ７２０が、第１クリアチャネル評価（ＣＣＡ）を使用することによって免許不要帯域で第１キャリアを占有するよう構成され、第１ＣＣＡが、ランダムバックオフを有するＣＣＡであり、
プロセッサ７２０が、第２ＣＣＡを使用することによって免許不要帯域で第２キャリアを占有するよう更に構成され、第２ＣＣＡが、シングルスロットＣＣＡである、プロセッサ７２０と、
第１指示情報を端末デバイスへ送るよう構成され、第１指示情報が、端末デバイスに、第２キャリアで基地局へアップリンク情報を送るよう指示するために使用される、トランシーバ７３０であって、
トランシーバ７３０が、第２キャリアで端末デバイスからのアップリンク情報を受けるよう更に構成される、トランシーバ７３０と
を含む。
【手続補正３１】
【補正対象書類名】明細書
【補正対象項目名】０１５１
【補正方法】変更
【補正の内容】
【０１５１】
任意に、実施形態において、第１指示情報は、端末デバイスに、第１最長チャネル占有時間（ＭＣＯＴ）において第２キャリアで基地局へアップリンク情報を送るよう指示するために特に使用され、第１ＭＣＯＴは、基地局が第１キャリアを占有することができる最長持続時間である。
【手続補正３２】
【補正対象書類名】明細書
【補正対象項目名】０１５６
【補正方法】変更
【補正の内容】
【０１５６】
図８は、本発明の実施形態に従う端末デバイスの略構造図である。図８における端末デバイス８００は、
プログラムを記憶するよう構成されるメモリ８１０と、
メモリ８１０内のプログラムを実行するよう構成されるプロセッサ８２０であって、プログラムを実行する場合に、プロセッサ８２０が、免許不要帯域で基地局によって占有される第１キャリア及び第２キャリアを決定するよう構成され、基地局が、第１クリアチャネル評価（ＣＣＡ）を使用することによって第１キャリアを占有し、且つ、第２ＣＣＡを使用することによって第２キャリアを占有し、第１ＣＣＡが、ランダムバックオフを有するＣＣＡであり、第２ＣＣＡが、シングルスロットＣＣＡである、プロセッサ８２０と、
第１指示情報を基地局から受けるよう構成され、第１指示情報が、端末デバイスに、第２キャリアで基地局へアップリンク情報を送るよう指示するために使用される、トランシーバ８３０であって、
トランシーバ８３０が、第１指示情報に基づき第２キャリアで基地局へアップリンク情報を送るよう更に構成される、トランシーバ８３０と
を含む。
【手続補正３３】
【補正対象書類名】明細書
【補正対象項目名】０１５８
【補正方法】変更
【補正の内容】
【０１５８】
任意に、実施形態において、トランシーバ８３０は、第１最長チャネル占有時間（ＭＣＯＴ）において第２キャリアで基地局へアップリンク情報を送るよう特に構成され、第１ＭＣＯＴは、基地局が第１キャリアを占有することができる最長持続時間である。
【手続補正３４】
【補正対象書類名】明細書
【補正対象項目名】０１７７
【補正方法】変更
【補正の内容】
【０１７７】
機能がソフトウェア機能ユニットの形で実装され、独立した製品として販売又は使用される場合に、機能はコンピュータ可読媒体に記憶されてもよい。斯様な理解に基づき、本質的には本発明の技術的解決法は、又は先行技術に寄与する部分、若しくは技術的解決法の一部は、ソフトウェア製品の形で実装されてよい。コンピュータソフトウェア製品は記憶媒体に記憶され、コンピュータ装置（パーソナル・コンピュータ、サーバ、ネットワーク装置、又は同様のものであってよい。）に、本発明の実施形態において記載される方法のステップの全部又は一部を実行するよう指示するいくつかの命令を含む。上記の記憶媒体は、ＵＳＢフラッシュドライブ、リムーバブル・ハード・ディスク、リード・オンリー・メモリ（read-only  memory，ＲＯＭ）、ランダム・アクセス・メモリ（random  access  memory，ＲＡＭ）、磁気ディスク、又は光ディスクのような、プログラムコードを記憶することができる如何なる媒体も含む。
【国際調査報告】
2019528013.tif 000012
2019528013.tif 000013
2019528013.tif 000014
2019528013.tif 000015